(57)【特許請求の範囲】
【請求項１】
映像データを含む入力データストリームを別の形式の出力データストリームに変換してネットワーク上に送信する映像データ通信装置であって、
前記入力データストリームから前記映像データのフォーマット情報または前記入力データストリームのフォーマット情報を抽出し、並べ替えてヘッダー情報を作成するヘッダー情報抽出手段と、
前記入力データストリームに含まれる前記映像データの全てまたは一部を抽出し所定の順に並べる映像データ抽出手段と、
前記入力データストリームに含まれる音声データや一般データから成る補助データを抽出し所定の順に並べる補助データ抽出手段と、
前記入力データストリームに含まれる文字放送データや放送局の運用データなどの汎用データを抽出し所定の順に並べる汎用データ抽出手段と、
前記ヘッダー情報抽出手段が出力するヘッダー情報と、前記映像データ抽出手段が出力する映像データと、前記補助データ抽出手段が出力する補助データと、前記汎用データ抽出手段が出力する汎用データとを多重してラッパー信号を生成するラッパー生成手段と、
前記ラッパ−生成手段より出力されるラッパー信号の入出力を管理するネットワークインタフェース手段とを備え、
前記ネットワークインタフェース手段は、入力データストリームからラッパー信号へ変換する方法と前記ネットワークインタフェース手段の動作モード情報を示したデータベース情報を格納するデータベース手段と、
前記ネットワーク上にあるネットワーク管理を行うネットワークシステム管理手段と通信し前記データベース手段と前記ネットワークシステム管理手段間のデータベース情報のアップロードおよびダウンロードを管理するシステム情報管理手段とを備え、
前記システム情報管理手段は、前記ネットワークシステム管理手段へラッパー信号変換手段と前記ネットワークインタフェース手段の動作モード情報をアップロードまたはダウンロードすることを特徴とする映像データ通信装置。
【請求項２】
ヘッダー情報抽出手段は、入力データストリームより前記入力データストリームに含まれる映像データのフレームフォーマット情報と、前記映像データ抽出手段により抽出される前記映像データのデータ量と、補助データ抽出手段により抽出される補助データのデータ量と、汎用データ抽出手段により抽出される汎用データのデータ量の全てまたは一部をヘッダー情報の一部として抽出し、並び替えてヘッダー情報を生成することを特徴とする請求項１記載の映像データ通信装置。
【請求項３】
音声データ含むデータを入力し、前記音声データおよびそのデータ量を検出し、前記音声データをラッパー生成手段へ出力し、前記データ量をヘッダー情報抽出手段に出力する音声信号情報検出手段を備え、
前記ヘッダー情報抽出手段は入力データストリームから抽出した情報と前記データ量よりヘッダー情報を生成し、
前記ラッパー生成手段は、前記ヘッダー情報抽出手段が出力するヘッダー情報と、映像データ抽出手段が出力する映像データと、補助データ抽出手段が出力する補助データと、汎用データ抽出手段が出力する汎用データと、前記音声信号情報検出手段が出力する音声データを多重してラッパー信号を生成することを特徴とする請求項２記載の映像データ通信装置。
【請求項４】
音声データは、ＡＥＳ／ＥＢＵ形式、ＭＰＥＧ方式の音声ストリーム、ＷＡＶＥ方式、ＭＩＤＩ形式、ＡＡＦ形式またはアナログ音声をサンプリングしたＰＣＭ音声データのいずれかであることを特徴とする請求項３記載の映像データ通信装置。
【請求項５】
遠隔制御信号を含むデータを入力し、前記遠隔制御信号およびそのデータ量を検出し、前記遠隔制御信号をラッパー生成手段へ出力し、前記データ量をヘッダー情報抽出手段へ出力する遠隔制御信号検出手段を備え、
前記ヘッダー情報抽出手段は入力データストリームから抽出した情報と前記データ量をヘッダー情報の一部としてヘッダー情報を生成し、
前記ラッパー生成手段は、前記ヘッダー情報抽出手段が出力するヘッダー情報と、映像データ抽出手段が出力する映像データと、補助データ抽出手段が出力する補助データと、汎用データ抽出手段が出力する汎用データと、前記遠隔制御信号検出手段が出力する遠隔制御信号を多重してラッパー信号を生成することを特徴とする請求項２記載の映像データ通信装置。
【請求項６】
遠隔制御信号は、ＲＳ４２２形式、ＲＳ２３２形式、ＵＳＢ形式、またはＩＥＥＥ１３９４のＡＶプロトコル形式のいずれかであることを特徴とする請求項５記載の映像データ通信装置。
【請求項７】
入力データストリームは、ＳＭＰＴＥ規格２５９Ｍで規定されている１フレーム当たりのライン数が５２５本または６２５本で２７０Ｍｂｐｓまたは、３６０Ｍｂｐｓのデータ速度を含むＳＤＩストリーム、または、電波産業界規格ＡＲＩＢ−Ｂ１７で規定されている１フレーム当たりのライン数が５２５本または６２５本で１４３Ｍｂｐｓのデータ速度を含むＳＤＩストリーム、または、ＳＭＰＴＥ規格２９２Ｍで規定されている１フレーム当たりのライン数が１１２５本または７５０本で１．４８５Ｇｂｐｓや１．４８５／（１．００１）ＧＭｂｐｓのデータ速度を含むＨＤ−ＳＤＩストリームのいずれかであることを特徴とする請求項１から６のいずれか１項に記載の映像データ通信装置。
【請求項８】
映像データ抽出手段は、入力データストリームより、５２５ライン方式において規定された５２５本の信号ラインのうち、ラインナンバーが２２から２６３，および２８５から５２５までのアクティブペイロードスペースに存在する映像データの全てまたは一部を抽出することを特徴とする請求項１から７のいずれか１項に記載の映像データ通信装置。
【請求項９】
映像データ抽出手段が抽出する映像データの有効ビット数を８ビット、補助データ抽出手段が抽出する補助データの有効ビット数を１０ビット以下の任意のビット数とし、汎用データ抽出手段が抽出する汎用データの有効ビット数を１０ビット以下の任意のビット数とすることを特徴とする請求項１から８のいずれか１項に記載の映像データ通信装置。
【請求項１０】
補助データ抽出手段は、入力データストリームより、ＳＭＰＴＥ規格２９１Ｍにおいて規定された補助データの全てまたは一部を抜き出すことを特徴とする請求項１から９のいずれか１項に記載の映像データ通信装置。
【請求項１１】
補助データは、ＡＥＳ／ＥＢＵ形式の音声データ、ＪＰＥＧ、ＭＰＥＧ１、ＭＰＥＧ−２、またはＭＰＥＧ−４のデータのいずれかを含んでいることを特徴とする請求項１０記載の映像データ通信装置。
【請求項１２】
汎用データ抽出手段は、入力データストリームより、ＳＭＰＴＥ規格２５９Ｍ、５２５ライン方式において規定された５２５本のラインのうち、ラインナンバーが１０から２１，および２７３から２８４までのラインのアクティブペイロードスペースに存在する汎用データの全てまたは一部を抽出することを特徴とする請求項１から９のいずれか１項に記載の映像データ通信装置。
【請求項１３】
汎用データ抽出手段は、ラインナンバーが１４，１５，１６，２１，２７７，２７８，２７９，２８４のラインのアクティブペイロードスペースに存在する文字放送データ、ＡＥＳ／ＥＢＵ形式の音声データ、ＪＰＥＧデータ、ＭＰＥＧ１データ、ＭＰＥＧ−２データ、またはＭＰＥＧ−４データの全てまたは一部を抽出することを特徴とする請求項１２に記載の映像データ通信装置。
【請求項１４】
汎用データ抽出手段は、ラインナンバーが１７，１８，１９，２０，２８０，２８１，２８２，２８３のラインのアクティブペイロードスペースに存在する放送局運用データ、ＪＰＥＧデータ、ＭＰＥＧ１データ、ＭＰＥＧ−２データ、またはＭＰＥＧ−４データの全てまたは一部を抽出すことを特徴とする請求項１２記載の映像データ通信装置。
【請求項１５】
映像データを含む入力データストリームを別の形式の出力データストリームに変換してネットワーク上に送信する映像データ通信装置であって、
前記入力データストリームに含まれる所定の情報を抽出し並べ替えてヘッダー情報を作成するＮ個（Ｎは２以上の整数）のヘッダー情報抽出手段と、
前記入力データストリームに含まれる映像データの全てまたは一部を抽出し所定の順に並べるＮ個の映像データ抽出手段と、
前記入力データストリームに含まれる音声データや一般データから成る補助データを抽出し所定の順に並べるＮ個の補助データ抽出手段と、
前記入力データストリームに含まれる文字放送データや放送局の運用データなどの汎用データを抽出し所定の順に並べるＮ個の汎用データ抽出手段と、
前記Ｎ個のヘッダー情報抽出手段が出力するヘッダー情報と、前記Ｎ個の映像データ抽出手段が出力する映像データと、前記Ｎ個の補助データ抽出手段が出力する補助データと、前記Ｎ個の汎用データ抽出手段が出力する汎用データを多重してラッパー信号を生成するＮ個のラッパー生成手段とを備え、
第ｎ（ｎは１以上Ｎ以下の整数）のラッパー生成手段は、前記第ｎのヘッダー情報抽出手段が出力したヘッダー情報と、前記第ｎの映像データ抽出手段が出力した映像データと、前記第ｎの補助データ抽出手段が出力した補助データと、前記第ｎの汎用データ抽出手段が出力した汎用データを多重してラッパー信号を生成し、
前記Ｎ個のラッパー生成手段より出力されるＮ個のラッパー信号を出力データストリームとして送信するものであり、
前記ラッパ−生成手段より出力されるラッパー信号の入出力を管理するネットワークインタフェース手段とを備え、
前記ネットワークインタフェース手段は、入力データストリームからラッパー信号へ変換する方法と前記ネットワークインタフェース手段の動作モード情報を示したデータベース情報を格納するデータベース手段と、
前記ネットワーク上にあるネットワーク管理を行うネットワークシステム管理手段と通信し前記データベース手段と前記ネットワークシステム管理手段間のデータベース情報のアップロードおよびダウンロードを管理するシステム情報管理手段とを備え、
前記システム情報管理手段は、前記ネットワークシステム管理手段へラッパー信号変換手段と前記ネットワークインタフェース手段の動作モード情報をアップロードまたはダウンロードすることを特徴とする映像データ通信装置。
【請求項１６】
第ｎ（ｎは１以上Ｎ以下の整数）のヘッダー情報抽出手段は、入力データストリームより抽出した映像データのフレームフォーマット情報と、前記第ｎの映像データ抽出手段で抽出した映像データのデータ量と、前記第ｎの補助データ抽出手段が抽出した補助データのデータ量と、前記第ｎの汎用データ抽出手段が抽出した汎用データのデータ量の全てまたは一部をヘッダー情報の一部として抽出することを特徴とする請求項１５記載の映像データ通信装置。
【請求項１７】
入力データストリームは、ＳＭＰＴＥ規格２５９Ｍで規定されている１フレーム当たりのライン数が５２５本または６２５本で２７０Ｍｂｐｓや３６０Ｍｂｐｓのデータ速度を含むＳＤＩストリーム、または、電波産業界規格ＡＲＩＢ−Ｂ１７で規定されている１フレーム当たりのライン数が５２５本または６２５本で１４３Ｍｂｐｓのデータ速度を含むＳＤＩストリーム、または、ＳＭＰＴＥ規格２９２Ｍで規定されている１フレーム当たりのライン数が１１２５本または７５０本で１．４８５Ｇｂｐｓや１．４８５／（１．００１）ＧＭｂｐｓのデータ速度を含むＨＤ−ＳＤＩストリームのいずれかであることを特徴とする請求項１５または１６に記載の映像データ通信装置。
【請求項１８】
２個の映像データ抽出手段を備え、入力データストリームはＳＭＰＴＥ規格２５９Ｍで規定されている１フレーム当たりのライン数が５２５ライン方式に規定されたＳＤＩストリームであり、第１の映像データ抽出手段は前記入力ＳＤＩストリームより、ラインナンバーが２２から２６３までのアクティブペイロードスペースに存在する映像データの全てまたは一部を抽出し、第２の映像データ抽出手段は前記入力ＳＤＩストリームより、ラインナンバーが２８５から５２５までのアクティブペイロードスペースに存在する映像データの全てまたは一部を抽出することを特徴とする請求項１７記載の映像データ通信装置。
【請求項１９】
２個の補助データ抽出手段を備え、入力データストリームはＳＭＰＴＥ規格２９１Ｍで規定されている１フレーム当たりのライン数が５２５ライン方式に規定されたＳＤＩストリームであり、第１の補助データ抽出手段は、前記ＳＤＩストリームより、ラインナンバーが１から２６３までのラインに存在する補助データの全てまたは一部を抽出し、第２の補助データ抽出手段は、前記ＳＤＩストリームより、ラインナンバーが２６３から５２５までのラインに存在する補助データの全てまたは一部を抽出することを特徴とする請求項１７記載の映像データ通信装置。
【請求項２０】
補助データは、ＡＥＳ／ＥＢＵ形式の音声データであることを特徴とする請求項１９記載の映像データ通信装置。
【請求項２１】
２個の汎用データ抽出手段を備え、入力データストリームはＳＭＰＴＥ規格２５９Ｍで規定されている１フレーム当たりのライン数が５２５ライン方式に規定されたＳＤＩストリームであり、第１の汎用データ抽出手段は、前記ＳＤＩストリームより、ラインナンバーが１０から２１までのラインのアクティブペイロードスペースに存在する汎用データの全てまたは一部を抽出し、第２の汎用データ抽出手段は、前記ＳＤＩストリームより、ラインナンバーが２７３から２８４までのラインのアクティブペイロードスペースに存在する汎用データの全てまたは一部を抽出することを特徴とする請求項１７記載の映像データ通信装置。
【請求項２２】
第１の汎用データ抽出手段は、ラインナンバーが１４，１５，１６，２１のラインのアクティブペイロードスペースに存在する文字放送データの全てまたは一部を抽出し、第２の汎用データ抽出手段は、ラインナンバーが２７７，２７８，２７９，２８４のラインのアクティブペイロードスペースに存在する文字放送データの全てまたは一部を抽出することを特徴とする請求項２１記載の映像データ通信装置。
【請求項２３】
第１の汎用データ抽出手段は、ラインナンバーが１７，１８，１９，２０のラインのアクティブペイロードスペースに存在する放送局運用データの全てまたは一部を抽出し、第２の汎用データ抽出手段は、ラインナンバーが２８０，２８１，２８２，２８３のラインのアクティブペイロードスペースに存在する放送局運用データの全てまたは一部を抽出することを特徴とする請求項２１記載の映像データ通信装置。
【請求項２４】
２個のラッパー生成手段を備え、前記ラッパー生成手段の出力をSDH規格、ITU-TG.707、STM-1(155.52Mbps)、またはSONET規格、GR-253-CORE、OC-3(155.52Mbps)で規定された伝送網を用いて伝送することを特徴とする
請求項１５から２３のいずれか１項に記載の映像データ通信装置。
【請求項２５】
ラッパー生成手段が出力するラッパー信号を入力し、伝送に適した形式に変換して伝送するネットワークインタフェース手段を設け、
前記ネットワークインタフェース手段は、前記ラッパー信号をＩＴＵ−Ｔ、Ｉ．３６３．１で規定されたＡＴＭアダプテーションレイヤ・タイプ１に適した信号に変換して伝送するＡＡＬ１処理手段を備えることを特徴とする請求項１または１５記載の映像データ通信装置。
【請求項２６】
ラッパー生成手段が出力するラッパー信号を入力し、伝送に適した形式に変換して伝送するネットワークインタフェース手段を設け、
前記ネットワークインタフェース手段は、前記ラッパー信号をＩＴＵ−Ｔ、Ｉ．３６３．５で規定されたＡＴＭアダプテーションレイヤ・タイプ５に適した信号に変換して送信することを特徴とする請求項１または１５記載の映像データ通信装置。
【請求項２７】
ラッパー生成手段が出力するラッパー信号を入力し、伝送に適した形式に変換して伝送するネットワークインタフェース手段を設け、
前記ネットワークインタフェース手段は前記ラッパー信号をエラー訂正や映像フレーム同期などのプロトコルを付加したＵＤＰ／ＩＰ方式に適した信号に変換して送信することを特徴とする請求項１または１５記載の映像データ通信装置。
【請求項２８】
ネットワークインタフェース手段は、前記ラッパー信号をＲＴＰ方式に適した信号に変換することを特徴とする請求項２７記載の映像データ通信装置。
【請求項２９】
ラッパー生成手段が出力するラッパー信号を入力し、伝送に適した形式に変換して伝送するネットワークインタフェース手段を設け、
前記ネットワークインタフェース手段は前記ラッパー信号をＴＣＰ／ＩＰ方式に適した信号に変換して送信することを特徴とする請求項１または１５記載の映像データ通信装置。
【発明の詳細な説明】
【０００１】
【発明の属する技術分野】
本発明は、入力されたＳＤやＨＤのベースバンド方式または圧縮方式の映像データを含むデータストリーム（データ列）を変換して所定の伝送路を介して通信する映像データ通信装置および方法に関する。
【０００２】
【従来の技術】
近年、光ファイバ等を利用した通信システムの発達で、通信容量が大幅に拡大し、コンピュータ等で使用するディジタルデータだけではなく、例えば放送分野で使用されている業務用デジタルＶＴＲの録画規格Ｄ１、Ｄ２方式などの映像信号や音声信号およびその他の付加情報をデジタル化し伝送するシステムの実用化が進みつつある。例えば、非同期転送モード（以下、ＡＴＭ：Asynchronous Transfer Mode）等を用いると、１５５メガビット／秒（以下、Ｍｂｐｓ）や６２０Ｍｂｐｓ以上の広域網による映像のリアルタイムな伝送が可能となり、現在これらのシステムの実用化が進められている。
【０００３】
ＡＴＭに関しては、ＩＴＵ−Ｔ（International Telecommunication Union-Telecommunication Standardization Sector：国際電気通信連合−電気通信標準化部門）、および、The ATM Forum等で審議、規格化がされており、関連文書も多数発行されている。例えば、放送分野で使用されるＤ１信号のＡＴＭ伝送については、特開平０８−１８１９９１号公報に示されている。
【０００４】
【発明が解決しようとする課題】
前述した方式では、ＳＭＰＴＥ規格（Society of Motion Picture and Television Engineers）２５９Ｍや電波産業界規格等で規定されている２７０Ｍｂｐｓや１４３Ｍｂｐｓのベースバンド映像信号から、垂直同期信号など伝送が不要な信号を除去して被伝送信号のデータ量を削減する。そして、被伝送信号をＡＴＭパケットに変換してＡＴＭ網にて伝送する。しかしながら、これらの伝送方式は、あらかじめ固定された映像や音声フォーマットのみにしか対応できない。すなわち、特に、制御データや音声データチャネルなど被伝送信号の帯域増減に対して柔軟に対応できないという問題点がある。もともと伝送帯域を広くとっておけば様々な信号が伝送可能であるが、被伝送信号の帯域が狭い場合は帯域の無駄使いとなり、コストの面からも非効率的である。
【０００５】
ＡＴＭ方式の場合、特にＡＡＬ(ATM adaptation layer)１方式などのＣＢＲ（Constant Bit Rate）通信では、ＶＰ／ＶＣ（Virtual Path/Virtual Channel）の設定において、あらかじめ伝送帯域（伝送セルレート）をより広く確保すれば、より多くのデータが伝送できる。しかし、恒常的に広く設定されている場合には、伝送データ量が少ない時には帯域資源の無駄使いとなってしまうという問題点がある。また、従来の一品料理的な伝送フォーマットでは、ＳＤＩ（Serial Digital Interface）ストリームに含まれた様々な形式の映像、音声、データ、メタデータなどの信号に対する伝送フォーマットが統一されていないため、ユーザ間で伝送信号の相互運用性（インターオペラビリティ、Interoperability）が確保できないという問題がある。
【０００６】
さらに、第２の課題として、従来例では、映像、音声、データ、メタデータなど様々な形式の信号に対して汎用的な伝送フォーマットを与えるラッパーフォーマットを使用しながら、新形式のデータを含んだＳＤＩストリームが入力された場合にもこの新しいデータを過不足なく抽出して伝送することができない。また、広域網上の管理手段から、現時点で伝送系が管理している管理上情報をダウンロードして確認できない。
【０００７】
さらに、第３の課題として、従来例では、柔軟なラッパーフォーマットを使用しながら、新形式のデータを含んだＳＤＩストリームが入力された場合にも、このＳＤＩストリームより新しいデータの有効データを抽出し、一般に普及していてコスト的にも有利な１５５Ｍｂｐｓの広域網を使用して伝送することができない。
【０００８】
さらに、第４の課題として、従来例では、柔軟なラッパーフォーマットを使用しながら、ＳＤＩストリームとは別の音声（チャネル）を更に追加し、遠隔地に伝送することができない。たとえば、野球中継の映像、音声を含んだＳＤＩ信号が入力された場合、さらにスタジオの音声を新たに多重して遠隔地へ送ることが不可能であり、スタジオでＳＤＩストリームへのエンベデッド音声の再構成など複雑なプロセスが必要となる。
【０００９】
さらに、第５の課題として、従来例では、柔軟なラッパーフォーマットを使用しながら、例えば既に存在するＳＤＩストリームとは別の制御信号（チャネル）を更に追加し、遠隔地に伝送することができない。たとえば、野球中継の映像、音声を含んだＳＤＩストリームが入力された場合、さらに送信側スタジオで受信側スタジオのＣＭ差し替え装置、ＤＶＥ（Digital Video Effect）装置、さらにはスイッチャなど機器の制御信号を新たに多重して遠隔地へ送ることができない。
【００１０】
さらに、第６の課題として、従来は、柔軟なラッパーフォーマットを使用しながらＳＤＩストリームに含まれる映像の品質を落とすことなく、音声、補助データ、放送局制御データなど全てを、ＳＴＭ−１（Synchronous Transport Module level 1）やＯＣ−３（Optical Carrier 3）で規定されている１５５．５２Ｍｂｐｓ帯域の標準的な伝送チャネルの２本を用いて遠隔地へ伝送することが実現されていない。
【００１１】
さらに、第７の課題として、従来は、柔軟なラッパーフォーマットを使用しながら、第６の発明により伝送された信号を受信側で元のＳＤＩ信号に戻す構成が公知でない。すなわち、ＳＤＩストリームに含まれる映像の品質を落とすことなく、映像、音声、補助データ、放送局制御データなど全てを、１５５．５２Ｍｂｐｓ帯域の標準的な伝送チャネルの２本を用いて遠隔地で受信し、元のＳＤＩストリームに戻すことができない。
【００１２】
さらに、第８の課題として、従来は、柔軟なラッパーフォーマットを使用しながら、ＳＤＩストリームに含まれる映像の品質を落とすことなく、音声、補助データ、放送局制御データなど全てを、ＳＴＭ−１やＯＣ−３で規定されている１５５．５２Ｍｂｐｓ帯域の標準的な伝送チャネルの２本を用いて遠隔地へ伝送する場合に、１系統の管理手段で、伝送制御を効率的に行うことができない。
【００１３】
さらに、第９の課題として、従来は、柔軟なラッパーフォーマットを使用しながら、ＳＤＩストリームに含まれる信号が、ＳＭＰＴＥ ３０５Ｍ規格に規定されているＳＤＴＩ（Serial Digital Transform Interface）ストリームである場合にはＳＤＴＩデータペイロードを遠隔地へ伝送することができない。
【００１４】
さらに、第１０の課題として、従来は、柔軟なラッパーフォーマットを使用しながら、送信側スタジオから野球中継などのＳＤＩストリームを遠隔地に伝送し、受信側スタジオでのＣＭ差し替えなどができない。
【００１５】
【課題を解決するための手段】
これらの課題を解決するために、本発明の映像データ通信装置は、入力された映像を含む入力データストリームに対して、ヘッダー情報抽出手段は映像データまたは入力データストリームのデデータフォーマット情報を抽出して別のヘッダー情報を生成し、映像データ抽出手段は映像データを抽出し、補助データ抽出手段は音声データや一般データを抽出し、汎用データ抽出手段は汎用データを抽出し、ラッパー生成手段は各手段の出力を多重して柔軟なラッパー生成アルゴリズムに基づいた新たなデータストリームを生成する。
【００１６】
【発明の実施の形態】
本発明の第１の発明は、映像データを含む入力データストリームを別の形式の出力データストリームに変換して送信する映像データ通信装置であって、前記入力データストリームから前記映像データのフォーマット情報または前記入力データストリームのフォーマット情報を抽出し、並べ替えてヘッダー情報を作成するヘッダー情報抽出手段と、前記入力データストリームに含まれる前記映像データの全てまたは一部を抽出し所定の順に並べる映像データ抽出手段と、前記入力データストリームに含まれる音声データや一般データから成る補助データを抽出し所定の順に並べる補助データ抽出手段と、前記入力データストリームに含まれる文字放送データや放送局の運用データなどの汎用データを抽出し所定の順に並べる汎用データ抽出手段と、前記ヘッダー情報抽出手段が出力するヘッダー情報と、前記映像データ抽出手段が出力する映像データと、前記補助データ抽出手段が出力する補助データと、前記汎用データ抽出手段が出力する汎用データとを多重してラッパー信号を生成するラッパー生成手段を備え、前記ラッパー信号を出力データストリームとして送信することを特徴とする映像データ通信装置である。ここで、映像データを含むデータストリームから抽出する映像のフォーマット情報としては、たとえば、１４３Ｍｂｐｓか２７０Ｍｂｐｓか３６０Ｍｂｐｓかのいずれかであることを示すモード情報、ＮＴＳＣまたはＰＡＬのいずれかであることを示すモード情報、あるいは、インタレースかプログレッシブ走査かであることを表わすフレーム周波数やフィールド周波数などが含まれる。また、ＳＤＩデータストリームのフォーマット情報としては、ＳＤＩ映像データ以外のデータ重畳情報（これらの対象データとしては、音声データや放送局制御データやデータ放送用のデータなどデータ種類、データ位置、データ量などがある。）がある。これにより、ラッパー生成手段の出力を伝送できるため、様々な映像や音声フォーマットに対応できる。補助データとしては、ＡＥＳ(Audio Engineering Society)／ＥＢＵ(European Broadcast Union)形式の音声データ、ＪＰＥＧ形式のデータ、ＭＰＥＧ(Motion Picture Experts Group)１形式のデータ、ＭＰＥＧ−２形式のデータ（ＥＳ（エレメンタリーストリーム）、ＰＳ（プログラムストリーム），ＴＳ（トランスポートストリーム），ＰＥＳ(Packetized Elementary Stream)パケット、）、またはＭＰＥＧ−４形式のデータ、ＭＰＥＧ−７形式のデータ等が考えられる。特に、制御データや音声データチャネルなど被伝送信号の帯域増減に対して柔軟に対応できる。伝送帯域を被伝送信号の帯域の変更に伴い変化させることが可能であるため、帯域の無駄使いが無くなり、コスト面から効率的になる。以上の様に、映像、音声、データ、メタデータなど様々な形式の信号が変化しても伝送フォーマット自体に柔軟性があるため、伝送信号の中身が変化しても、ユーザ間で相互運用性（インターオペラビリティ、Interoperability）が確保できる。
【００１７】
本発明においては、映像、音声、データ、メタデータなど様々な形式の信号に対して汎用的な伝送フォーマットを与えるラッパーフォーマットを導入し、被伝送信号帯域を必要最小限に抑え伝送帯域のロスを低減しながら、ＳＤＩストリームに含まれた様々な形式の映像、音声、データ、メタデータなどの信号伝送に柔軟に対応する。なお、ラッパーの必要性に関しては、例えば、EBU/SMPTE Task Force, "Final Report of the EBU/SMPTE Task Force for Harmonized Standards for the Exchange of Programme Material as Bitstreams", August 1998 などの報告書に示されている。ラッパーを導入することにより、伝送帯域を有効利用しながら様々な信号の伝送に柔軟に対応することが可能となる。複数のデータをラッパー信号に変換し、また逆変換するアルゴリズムは柔軟かつ可逆変換であり、一般のデータに適用可能である。
【００１８】
本発明の第２の発明は、ラッパー信号変換手段より出力されるラッパー信号を入出力するネットワークインタフェース手段を備え、前記ネットワークインタフェース手段は、入力データストリームからラッパー信号へ変換する方法などを示したデータベース情報を格納するデータベース手段と、広域網上にあるネットワーク管理を行うネットワークシステム管理手段と通信し、前記システム管理手段と前記データベース手段間のデータベース情報のアップロード、またはダウンロードを管理するシステム情報管理手段とを備え、前記システム情報管理手段は前記ネットワークシステム管理手段へ前記ラッパー信号変換手段と前記ネットワークインタフェース手段の動作モード情報をアップロードまたはダウンロードすることを特徴とする映像データ通信方法であり、これにより、新形式のデータを含んだＳＤＩストリームが入力された場合にもこの新しいデータを過不足なく抽出して伝送することが可能となる。また、広域網上の管理手段から、現時点で伝送系が管理している管理上情報をダウンロードして確認できるので、管理者がいちいち遠隔地に設置された伝送装置までその動作パラメータを設定しに行く必要が無くなり業務の効率化が可能となる。
【００１９】
本発明の第３の発明は、第１の発明および第２の発明において、映像データ抽出手段が抽出する映像データの有効ビット数を８ビット、補助データ抽出手段が抽出する補助データの有効ビット数を１０ビット以下の任意のビット数とし、汎用データ抽出手段が抽出する汎用データの有効ビット数を１０ビット以下の任意のビット数とすることを特徴とする映像データ通信装置であり、これにより、ＳＤＩストリームに含まれる映像、音声、補助データ、放送局制御データなど全てを、一般に普及していてコスト的にも有利な１５５．５２Ｍｂｐｓ伝送網１本を用いて伝送できる。
【００２０】
本発明の第４の発明は、第１の発明において、音声データ含むデータを入力し、前記音声データおよびそのデータ量を検出し、前記音声データをラッパー生成手段へ出力し、前記データ量をヘッダー情報抽出手段に出力する音声信号情報検出手段を備え、前記ヘッダー情報抽出手段は入力データストリームから抽出した情報と前記データ量よりヘッダー情報を生成し、前記ラッパー生成手段は、前記ヘッダー情報抽出手段が出力するヘッダー情報と、映像データ抽出手段が出力する映像データと、補助データ抽出手段が出力する補助データと、汎用データ抽出手段が出力する汎用データと、前記音声信号情報検出手段が出力する音声データを多重してラッパー信号を生成することを特徴とする映像データ通信装置であり、これにより、例えば既に存在するＳＤＩストリームとは別の音声（チャネル）を更に追加し、遠隔地に伝送することが可能となる。たとえば、野球中継の映像、音声を含んだＳＤＩストリームが入力された場合、さらに東京のスタジオの音声を新たに多重して、大阪のスタジオなど遠隔地へ伝送することが可能となる。
【００２１】
さらに、本発明の第５の発明は、第１の発明において、遠隔制御信号を含むデータを入力し、前記遠隔制御信号およびそのデータ量を検出し、前記遠隔制御信号をラッパー生成手段へ出力し、前記データ量をヘッダー情報抽出手段へ出力する遠隔制御信号検出手段を備え、前記ヘッダー情報抽出手段は入力データストリームから抽出した情報と前記データ量をヘッダー情報の一部としてヘッダー情報を生成し、前記ラッパー生成手段は、前記ヘッダー情報抽出手段が出力するヘッダー情報と、映像データ抽出手段が出力する映像データと、補助データ抽出手段が出力する補助データと、汎用データ抽出手段が出力する汎用データと、前記遠隔制御信号検出手段が出力する遠隔制御信号を多重してラッパー信号を生成することを特徴とする映像データ通信装置であり、これにより、ＳＤＩストリームに含まれる映像、音声、補助データ、放送局制御データなど全てを、１５５．５２Ｍｂｐｓ帯域の標準的な伝送チャネルの１本を用いて遠隔地へ伝送することが可能となる。
【００２２】
さらに、本発明の第６の発明は、映像データを含む入力データストリームを別の方式の出力データストリームに変換して送信する映像データ通信装置であって、前記入力データストリームに含まれる所定の情報を抽出し並べ替えてヘッダー情報を作成するＮ個（Ｎは２以上の整数）のヘッダー情報抽出手段と、前記入力データストリームに含まれる映像データの全てまたは一部を抽出し所定の順に並べるＮ個の映像データ抽出手段と、前記入力データストリームに含まれる音声データや一般データから成る補助データを抽出し所定の順に並べるＮ個の補助データ抽出手段と、前記入力データストリームに含まれる文字放送データや放送局の運用データなどの汎用データを抽出し所定の順に並べるＮ個の汎用データ抽出手段と、前記Ｎ個のヘッダー情報抽出手段が出力するヘッダー情報と、前記Ｎ個の映像データ抽出手段が出力する映像データと、前記Ｎ個の補助データ抽出手段が出力する補助データと、前記Ｎ個の汎用データ抽出手段が出力する汎用データを多重してラッパー信号を生成するＮ個のラッパー生成手段とを備え、第ｎ（ｎは１以上Ｎ以下の整数）のラッパー生成手段は、前記第ｎのヘッダー情報抽出手段が出力したヘッダー情報と、前記第ｎの映像データ抽出手段が出力した映像データと、前記第ｎの補助データ抽出手段が出力した補助データと、前記第ｎの汎用データ抽出手段が出力した汎用データを多重してラッパー信号を生成し、前記Ｎ個のラッパー生成手段より出力されるＮ個のラッパー信号を出力データストリームとして送信することを特徴とする映像データ通信装置であり、これにより、ＳＤＩストリームに含まれる映像の品質を落とすことなく、映像、音声、補助データ、放送局制御データなど全てを、１５５．５２Ｍｂｐｓ帯域の標準的な伝送チャネルの２本を用いて遠隔地へ伝送することが可能となる。
【００２３】
さらに、本発明の第７の発明は、映像データを含む入力データストリームを別の方式のデータストリームに変換して送信する通信装置であって、外部より入力される映像リファレンス信号より映像同期信号を生成する映像同期信号生成手段と、入力データストリームよりラッパー信号を再構成するＮ個（Ｎは２以上の整数）のラッパー信号受信手段と、前記ラッパー信号受信手段が出力するラッパー信号よりヘッダー情報を分離するＮ個のヘッダー情報分離手段と、前記ヘッダー情報抽出手段が出力する前記ヘッダー情報と前記映像同期信号より、映像フレームにおける補助データ、映像データ、汎用データが存在するラインを判定し、各データが存在するラインナンバーを指定するＮ個の映像同期・ラインナンバー判定手段と、前記ラッパー信号受信手段が出力するラッパー信号より、前記映像同期・ラインナンバー判定手段により指定されたラインナンバー上のデータを補助データとして分離するＮ個の補助データ抽出手段と、前記ラッパー信号受信手段が出力するラッパー信号より、前記映像同期・ラインナンバー判定手段により指定されたラインナンバー上のデータを映像データとして分離するＮ個の映像データ抽出手段と、前記ラッパー信号受信手段が出力するラッパー信号より、前記映像同期・ラインナンバー判定手段により指定されたラインナンバー上のデータを汎用データとして分離するＮ個の汎用データ抽出手段と、前記Ｎ個の補助データ抽出手段が出力する補助データと前記Ｎ個の映像データ抽出手段が出力する映像データと前記Ｎ個の汎用データ抽出手段が出力する汎用データを合成してＳＤＩ信号を生成するＳＤＩ信号合成手段とを備え、前記ＳＤＩ信号を出力データストリームとして送信すること特徴とする映像データ通信装置であり、これにより、第６の発明により伝送された信号を受信側でもとのＳＤＩ信号に戻すことが可能となる。すなわち、ＳＤＩストリームに含まれる映像の品質を落とすことなく、映像、音声、補助データ、放送局制御データなど全てを、１５５．５２Ｍｂｐｓ帯域の標準的な伝送チャネルの２本を用いて遠隔地へ伝送することが可能となる。
【００２４】
さらに、本発明の第８の発明は、第６の発明におけるラッパー信号変換手段と、前記ラッパ−信号変換手段より出力されるラッパー信号の入出力を管理するネットワークインタフェース手段とを備え、前記ネットワークインタフェース手段は、入力データストリームからラッパー信号へ変換する方法などを示したデータベース情報を格納するデータベース手段と、広域網上にあるネットワーク管理を行うネットワークシステム管理手段と通信し、前記データベース手段と前記ネットワークシステム管理手段間のデータベース情報のアップロードまたはダウンロードを管理するシステム情報管理手段とを備え、前記システム情報管理手段は、前記ネットワークシステム管理手段へラッパー信号変換手段と前記ネットワークインタフェース手段の動作モード情報をアップロードまたはダウンロードすることを特徴とするデータ通信方法である。
【００２５】
すなわち、データストリーム入力・動作モードの切替えに必要な最新の管理データをダウンロード可能となる。これにより、新形式のデータを含んだＳＤＩストリームが入力された場合にもこの新しいデータを過不足なく抽出して、１５５Mｂｐｓネットワークを複数用いて、伝送することが可能となる。また、広域網上の管理手段から、現時点で伝送系が管理している管理上情報をダウンロードして確認できるので、管理者がいちいち遠隔地に設置された伝送装置までその動作パラメータを設定しに行く必要が無くなり業務の効率化が可能となる。
【００２６】
さらに、本発明の第９の発明は、映像データを含む入力データストリームを別のデータストリームに変換して送信する通信装置であって、前記入力データストリームがＳＭＰＴＥ３０５Ｍで規定されたＳＤＴＩデータストリームであることを判別する判別手段と、前記判別手段が出力する前記ＳＤＴＩデータストリームより所定の情報を抽出し並べ替えてヘッダー情報を作成するヘッダー情報抽出手段と、前記判別手段が出力する前記ＳＤＴＩデータストリームに含まれるアクティブデータの全てを抽出する映像データ抽出手段と、前記判別手段が出力する前記ＳＤＴＩデータストリームに含まれる音声データや一般データから成る補助データを抽出し所定の順に並べる補助データ抽出手段と、前記判別手段が出力する前記ＳＤＴＩデータストリームに含まれる文字放送データや放送局の運用データなどの汎用データを抽出し所定の順に並べる汎用データ抽出手段と、前記ヘッダー情報抽出手段が出力するヘッダー情報と、前記映像データ抽出手段が出力する映像データと、前記補助データ抽出手段が出力する補助データと、前記汎用データ抽出手段が出力する汎用データとを多重してラッパー信号を生成するラッパー生成手段を備え、前記ラッパー信号を出力データストリームとして送信することを特徴とする映像データ通信装置であり、これにより、ＳＤＩストリームに含まれる信号が、ＳＤＴＩストリームである場合にも自動で検知し、ＳＤＴＩペイロードを遠隔地へ伝送することが可能となる。
【００２７】
さらに、本発明の第１０の発明は、第１または第２の発明の映像データ通信装置によって、映像データを含む入力データストリームと受信側に設置された映像スイッチャの切替え制御タイミングデータを含んだ制御信号を別の方式の出力データストリームに変換して伝送網へ伝送し、受信側において、前記出力データストリームより、前記入力データストリームおよび前記制御信号を復元し、前記制御信号内の前記映像スイッチャの切替え制御タイミングデータを用いて、前記入力データストリームに含まれる映像データと別系統の映像データとを切り替えて出力することを特徴とする映像データ通信方法であり、これにより、送信側スタジオから野球中継などのＳＤＩストリームを遠隔地に伝送し、受信側スタジオでのＣＭ差し替えなどを実現することが可能となる。
【００２８】
以下、本発明の実施の形態について、図１から図２０を用いて説明する。以下の実施の形態においては、ＳＤＩストリームに含まれるペイロードを遠隔地に伝送するネットワークとしてＡＴＭ網を用いる場合について説明する。本発明に関連した重要な規格を以下に示す。ATMプロトコルはITU-T I.361、また、AAL1プロトコルは ITU-T I.363.1に、さらに、AAL5プロトコルは、ITU-T I.363.5 に、それぞれ規定されている。また、シグナリングに関しては、たとえば、ITU-T Q.2931がある。一方、ATM網に求められる網品質に関しては ITU-T、I.356 に規定されている。また、User Network Interfaceについては、The ATM Forum, ATM User- Network Interface Specification Version 3.0（以下、UNI3.0）、The ATM Forum, ATM User-Network Interface Specification Version 3.1 （以下、UNI3.1）、The ATM Forum, ATM User-Network Interface Specification Version 4.0（以下、UNI4.0）等で規格化されている。
【００２９】
なお、以下の説明では、ＳＤＩストリームに含まれるペイロードで遠隔地に伝送するネットワークとしてＡＴＭ網を用いる例で示したが、その他のＩＰ(Internet Protocol)網やファイバチャネル網についても同様に実施可能である。ＩＰに関するプロトコルはＩＥＴＦ(Internet Engineering Task Force)において規格化が審議されている。ＵＤＰ(User Datagram Protocol)／ＩＰを使用した代表的なストリーミングプロトコルにＲＴＰ(Real-time Transfer Protocol)、ＲＦＣ１８９９，ＲＦＣ１８９０（ＩＥＦＴ）があり、ＲＴＰを用いた場合のプロトコルのレイヤ構造は、（ラッパーなどアプリケーションデータ）／ＲＴＰ／ＵＤＰ／ＩＰとなる。
【００３０】
ところで、ＳＤＩ信号は前述のＳＭＰＴＥ ２５９Ｍ規格で規定された信号である。以下の説明で用いるＳＤＩ信号として、例として、ＳＭＰＴＥ ２５９Ｍで規定されている５２５／５９．９４インタレースシステムにおいて、ベースバンド方式（Ｙ，Ｒ−Ｙ、Ｂ−Ｙの３つの独立信号で構成される）と、ＮＴＳＣ方式（コンポジット映像信号）を用いるとするが、これに限定するものではない。また、ＳＤＴＩの規格はＳＭＰＴＥ３０５Ｍ(Serial Digital Interface)、または、ＡＲＩＢ規格Ｂ１７（「放送用ビット直列インタフェースにおけるパケットデータ伝送方式」）で規定されている。
【００３１】
（実施の形態１）
本実施の形態では、入力データストリームをラッパー信号に変換して送信する映像データ通信装置について説明する。
【００３２】
図１は本実施の形態の映像データ通信装置の構成を示すブロック図である。
【００３３】
図１において、１０１はＳＤＩ信号が入力されるＳＤＩ信号入力、１０２は動作モード外部切替え信号が入力される動作モード外部切替え信号入力、１０３はＳＤＩ信号入力１０１より入力されるＳＤＩ信号および動作モード外部切替え信号入力１０２より入力される動作モード外部切替え信号より、動作モードの切替え、モード検出を行うデータストリーム入力・動作モード切替え手段、１０４はデータストリーム入力・動作モード切替え手段１０３より出力されたＳＤＩ信号をヘッダー情報検出手段１０５、補助データ抽出手段１０６、映像データ抽出手段１０７、汎用データ抽出手段１０８へ４分岐出力するバッファ手段、１０５はバッファ手段１０４より出力されたＳＤＩ信号のフォーマット情報またはＳＤＩ信号に含まれる映像データのフォーマット情報、データ量を判別・抽出し、所定の順に並べてヘッダー情報抽出手段、１０６はバッファ手段１０４より出力されたＳＤＩ信号より補助データを抽出し所定の順に並べる補助データ抽出手段、１０７はバッファ手段１０４より出力されたＳＤＩ信号より映像データの全てまたは一部を抽出し所定の順に並べる映像データ抽出手段、１０８はバッファ手段１０４より出力されたＳＤＩ信号より汎用データを抽出し所定の順に並べる汎用データ抽出手段、１０９はヘッダー情報抽出手段１０５より出力されたヘッダー情報、補助データ抽出手段１０６より出力された補助データ、映像データ抽出手段１０７より出力された映像データ、汎用データ抽出手段より抽出された汎用データよりラッパー信号を生成するラッパー生成手段、１１０はデータストリーム入力・動作モード切替え手段１０３より出力されたＳＤＩ信号をラッパー信号に変換するラッパー抽出生成手段、１１１はＳＤＩ信号入力１０１より入力されたＳＤＩ信号を動作モード外部切替え信号入力１０２より入力された動作モード外部切替え信号を参照してラッパー信号に変換するラッパー信号変換手段、１１２はラッパー生成手段１０９より出力されたラッパー信号を伝送に必要な形式にして伝送するネットワークインタフェース手段、１１３はネットワークインタフェース１１２より出力された信号を出力するネットワークインタフェース端子である。
【００３４】
ＳＤＩ信号入力１０１より入力されたＳＤＩストリーム（１０ビットの信号）と、動作モード外部切替え入力１０２より入力された動作モード外部切替え信号は、それぞれ、データストリーム入力・動作モード切替え手段１０３に入力される。ここで、動作モードには自動動作モードとマニュアル動作モードとがあり、この入力信号により切り替えられる。自動動作モードでは、例えば、ＳＤＩ信号の伝送レート、入力されるＳＤＩストリームに含まれる映像のモード検出、例えば、ＮＴＳＣ／ＰＡＬモード検出、伝送レート（３６０／２７０／１４３Ｍｂｐｓ）、補助データ（ＡＮＣデータ）の有無などのモード検出を行う。また、マニュアル動作モードは、自動動作モードで検出されるモードや、その他、データ抽出などに関する動作モードのモード設定を行う。動作モード外部切替え信号入力１０２より入力される動作モード外部切替え信号は、たとえば８ビットであり、ＭＳＢ（Most Significant Bit、第８ビット）が自動／マニュアルの切替え、設定に使用される。また、第７ビットがＮＴＳＣ／ＰＡＬの切替え、設定に使用される。また、第６，５ビットがＳＤＩビットレートの切替え、設定に使用される。本実施の形態では、マニュアルモードで動作していると仮定する。
【００３５】
次に、データストリーム入力・動作モード切替え手段１０３の出力は、バッファ手段１０４に出力され、ヘッダー情報抽出手段１０５、補助データ抽出手段１０６、映像データ抽出手段１０７、汎用データ抽出手段１０８に４分岐出力される。
【００３６】
ここで４分岐出力されるＳＤＩデータストリーム（１０ビットの信号）の信号例を図２に示す。図２において横方向は一水平ライン内の時間軸方向であり、縦方向は映像フレーム構造におけるライン番号の時間軸方向である。ＳＤＩ信号の基本構成は、ＳＭＰＴＥ ２５９Ｍにおいて規定されている構造と同様である。図２は、５２５ライン、ＳＤＩビットレートが２７０Ｍｂｐｓの場合である。図２において、ライン１から９までと、ライン２６４から２７２は垂直同期期間である。また、ライン１０とライン２７２は、ＳＭＰＴＥ ＲＰ１６８でも規定されているが、複数のＳＤＩデータストリームのスイッチングラインであり、通常、有効データが存在しない領域である。
【００３７】
補助データは、ＳＭＰＴＥ ２９１Ｍに規定された方法で、ライン方向に２６８ワード（Ｗｏｒｄ、Ｗ）載せることができる。補助データとしては音声信号や一般データなどがあり、ＳＤＩストリームに音声が重畳されたストリームはＳＤＩストリームのエンベデッド音声方式などと呼ばれている。なお、本発明および本明細書で述べられる他の発明においては、補助データはＳＭＰＴＥ ２９２Ｍ（または、ＡＲＩＢ規格、ＡＲＩＢ ＳＴＤ Ｂ６）に規定されているフォーマット構成を適用できる。また、ＡＥＳ音声に関しても、ＳＭＰＴＥ ２７２Ｍ（または、ＡＲＩＢ（旧ＢＴＡ）規格、ＢＴＡ―Ｆ１００２）で規定されているフォーマット構成を適用できる。
【００３８】
映像のアクティブデータは、ライン方向に１４４０ワード分である。ここで、１ワードは１０ビットで、１クロックは２７ＭＨｚである。さらに、映像のアクティブデータは、そのフレーム構造において、ライン２２の後半、ライン２３から２６２、ライン２６３の前半、ライン２８５から５２５のトータル２８３ラインのアクティブペイロードスペースに存在し、１４４０ワードの有効データとしては２８２ライン分である。
【００３９】
ＳＤＩストリームには、さらに、汎用データとして、文字放送データや放送局の運用データなどが含まれている。例えば、「ニューメディア読本、ＡＶシステム技術」、テレビ受信向上委員会（編集・発行）、日本放送協会営業本部受信技術局（事務局）、昭和６１年１１月、２３ページに図１−２０に示されている信号である。文字放送データは、ライン１４，１５，１６，２１、２７７，２７８，２７９，および２８４に重畳される。また、放送局の運用データは、ライン１７，１８，１９，２０，２８０、２８１、２８２，２８３に重畳される。
【００４０】
ＳＤＩストリームのペイロードをＡＴＭやＩＰ広域網により遠距離伝送する場合、不要な信号（例えば、図２の斜線部）は送信側で削除して受信側まで伝送しなくても、受信側で同じＳＤＩストリームを再構築することが可能である。この場合の不要な信号とは、図２に示すように、ライン１，２，３および２６４，２６５，２６６の等化パルス、ライン４，５，６およびライン２６７，２６８，２６９の垂直同期パルス、ライン７，８，９およびライン２７０，２７１，２７２の等化パルス、ライン１０，２７３のスイッチングラインの２０ラインである。単純化して考えれば、図３に示す様に５２５ラインの内、５０５ライン分の有効データを伝送すれば良い。すなわち、５２５ラインの場合は図３に示すように、１ラインが142ワードのヘッダーと768ワードの有効信号で構成されているとすると、525(line)×(142+768)(W)×10(bit)＝597,187.5byte伝送する必要があったが、不要な信号を削除することで、505(line)×768(W)×10(bit)＝484,800byteの有効データを伝送すればよいことになる。伝送レートとしては、597,187.5(byte/frame)×8(bit)×30(frame/sec)/1.001＝143.18Mbpsから484,800(byte/frame)×8(bit)×30(frame/sec)/1.001＝116.236Mbpsとなる。
【００４１】
さて、図１において、補助データ抽出手段１０６、映像データ抽出手段１０７、汎用データ抽出手段１０８はそれぞれ前述した補助データ、映像データおよび汎用データを抽出してラッパー生成手段１０９に入力する。一方、ヘッダー情報抽出手段１０５においては、入力ＳＤＩストリームに含まれる映像のモードである、ＮＴＳＣ／ＰＡＬモード、３６０／２７０／１４３Ｍｂｐｓモード、補助データ（ＡＮＣデータ）の有無、補助データ抽出手段１０６において抽出される補助データのデータ量、映像データ抽出手段１０７において抽出される映像データのデータ量、さらに汎用データ抽出手段１０８において抽出される汎用データの種類およびデータ量の全てまたは一部などを判別・抽出してラッパー生成手段１０９に入力する。
【００４２】
ラッパー生成手段１０９においては、入力された信号より、図４に示すプロトコル処理を行いラッパー信号に変換する。図４における信号変換においては、上層のアプリケーション層と下層の共通層とから構成される。まず、アプリケーション層は、上層のオブジェクト層と下層のアプリケーション依存層に分かれる。オブジェクト層では、１フレーム分のＳＤＩデータストリームより、補助データ、映像データ、および汎用データ（文字多重データや放送局の運用信号など）を抽出し、映像ストリームを生成する。この場合、１４４０ワード、５２５ラインより不要な信号２０ラインを除く５０５ラインの505(line)×1440(W)×10(bit)＝909,000Byteの映像データに必要なヘッダーを付加した909,012byteの映像ストリームとなる。また、補助データとしてＡＥＳ音声（４ｃｈ）が28,449byte抽出されるとする。さらに、映像ストリームはコンテナ層のコンテナとなり、同期層にマッピングされラッパー信号となる。図４の例では、映像ストリームは補助データ領域のＡＥＳ音声と共にコンテナヘッダ88byteを付加され937,549byteのコンテナとなり、同期層で必要なヘッダー等を付加され937,584byteのラッパー信号となる。この場合のデータレートは937,584(byte/frame)×8(bit)×30(frame/sec)/1.001＝224.795Mbpsとなる。ここで、コンテナとしてはＡＮＳＩ( American National Standards Institute)規格Ｔ１１.３、ＦＣ−ＡＶ規格で規定されているコンテナ形式を使用する。以上の構成により、ラッパー生成アルゴリズムは柔軟であり、基本的にあらゆる信号に適用可能である。ラッパー信号の形式としては様々なものが考えられるが、本明細書では上記形式を用いて説明を行うこととする。
【００４３】
なお、ＡＥＳ３音声データ形式、ＡＥＳ３音声フォーマットにおける３２bit ＡＥＳストリーム音声のサンプル、サブフレーム形式を図５に示す。ここで、１ワードは１０ビット構成であり、例えば、ＡＥＳ音声は１６ビットまたは２０ビットでマッピングされる。また、補助データであるＡＮＣデータ（アンシラリーデータ）のパケットフォーマットを図６に示す。ここで、それぞれのワード（Ｗｏｒｄ、Ｗ）は１０ビット構成であり、例えば、ＡＥＳ音声は１６ビットまたは２０ビットでマッピングされる。
【００４４】
ラッパー生成手段１０９において生成されたラッパー信号は、ネットワークインタフェース手段１１２に出力される。ここで、ネットワークインタフェース手段１１２は、入力されたラッパー信号をＡＡＬ１方式やＡＡＬ５方式などのＡＴＭ伝送方式、ＵＤＰ／ＩＰやＴＣＰ／ＩＰなどのＩＰ方式、更にエラー訂正や映像フレーム同期などのプロトコルを付加したＵＤＰ／ＩＰやＴＣＰ／ＩＰ伝送方式、また、ＦＣ−ＡＶやＴＣＰ／ＩＰなどのプロトコルを実装したファイバチャネル方式などの伝送プロトコルを用いて、ネットワーク（網）を介してネットワークインタフェース出力端子１１３より受信点まで伝送する。
【００４５】
なお、本実施の形態では、補助データがＡＥＳ音声（４ｃｈ）である場合を例にとって説明したが、これに限定するものではない。
【００４６】
また、本実施の形態では汎用データは、ＳＭＰＴＥ規格２５９Ｍ、５２５ライン方式において規定された５２５本のラインのうち、ラインナンバーが１４から２０、２７７から２８４に重畳されていると説明したが、これに限定するものではなく、ラインナンバーが１０から２１、および２７３から２８４までのラインのアクティブペイロードスペースに重畳されていてもよい。
【００４７】
また、本実施の形態では、汎用データとして、ラインナンバーが１４，１５，１６，２１，２７７，２７８，２７９，２８４のラインのアクティブペイロードスペースには文字放送データが重畳されている場合を例にとって説明したが、これに限定するものではなく、ＡＥＳ／ＥＢＵ形式の音声データ、ＪＰＥＧデータ、ＭＰＥＧ１データ、ＭＰＥＧ−２データ、またはＭＰＥＧ−４データが重畳されていてもよい。
【００４８】
また、本実施の形態では、汎用データとして、ラインナンバーが１７，１８，１９，２０，２８０，２８１，２８２，２８３のラインのアクティブペイロードスペースに放送局の運用データが重畳されている場合を例にとって説明したが、これに限定するものではなく、ＪＰＥＧデータ、ＭＰＥＧ１データ、ＭＰＥＧ−２データ、またはＭＰＥＧ−４データが重畳されていてもよい。
【００４９】
（実施の形態２）
本実施の形態では、２つの映像データ通信間においてデータストリームをラッパー信号に変換して通信し、広帯域上の管理手段と管理情報のアップロード、ダウンロードを行う通信方法を説明する。
【００５０】
図７は本実施の形態の映像データ通信装置の構成を示すブロック図である。図７において、図１と同様の構成には同一の参照符号を付し、説明を省略する。
【００５１】
図７において、５０１、５０７はＳＤＩストリームを記録再生するデジタルＶＴＲ、５０２はデジタルＶＴＲ５０１より出力されたＳＤＩストリームをＡＴＭパケットに変換するＳＤＩ−ＡＴＭ変換手段、５０３はＡＴＭ網、５０４はＩＰ網、５０５はＳＤＩ−ＡＴＭ変換手段５０２、ＳＤＩ−ＡＴＭ変換手段５０６の動作を管理するネットワークシステム管理手段、５０８はＳＤＩストリームを入力するＳＤＩ−Ｉ／Ｆ，５０９は動作モード外部切替え信号を入力する動作モード外部切替え信号入力、５１１はラッパー信号変換処理手段１１１より出力されたラッパー信号をＡＴＭパケットのペイロードに変換するＡＡＬ１処理手段、５１２はＡＡＬ１処理手段５１１より出力されたデータをＡＴＭパケット化するＡＴＭ−Ｉ／Ｆ手段、５１３、５２４はデータベース情報を管理するシステム情報管理手段、５１４、５２５はデータベース情報を格納するデータベース手段（ＭＩＢ）、５１５、５２３はＩＰ網５０４へのデータの入出力を管理するＥｔｈｅｒｎｅｔ−Ｉ／Ｆ手段、５１７、５１９はＡＴＭ網５０３へＡＴＭパケットを入出力を行うＡＴＭ−Ｉ／Ｆ、５１８、５２０はＩＰ網５０４へのデータの入出力を行うＩＰ−Ｉ／Ｆ、５２１はＡＴＭパケットより伝送に必要なヘッダーを取り除くＡＴＭ−Ｉ／Ｆ手段、５２２はＡＴＭ−Ｉ／Ｆ手段５２１より出力されたデータよりラッパー信号を生成するＡＡＬ１処理手段、５２６はＡＴＭ網５０３より入力したＡＴＭパケットをラッパー信号に変換するネットワークインタフェース部、５２７はネットワークインタフェース部５２６より出力されたラッパー信号よりＳＤＩストリームを復元するラッパー信号逆変換手段、５２８はラッパー信号逆変換手段５２７より出力されたＳＤＩストリームを出力するＳＤＩ−Ｉ／Ｆである。
【００５２】
まず、送信側に配置されたデジタルＶＴＲ５０１より、ＳＤＩストリームがＳＤＩ−ＡＴＭ変換手段５０２に出力される。また、外部の専用コントローラから動作モード外部切替信号がＳＤＩ−ＡＴＭ変換手段５０２に出力される。ＳＤＩ−ＡＴＭ５０２においては、実施の形態１と同様の動作を行ってラッパー信号変換手段１１１がＳＤＩ−ＩＦ５０８より入力されたＳＤＩストリームと、動作モード外部切替え信号入力５０９より入力された動作モード外部切替え信号よりラッパー信号を生成する。ＡＡＬ１処理手段５１１はラッパー信号変換手段１１１より出力されたラッパー信号をＡＡＬ１処理し、ＡＴＭ−Ｉ／Ｆ手段５１２はＡＡＬ１処理されたデータをＡＴＭパケットに変換して、ＡＴＭ−Ｉ／Ｆ５１７よりＡＴＭ網５０３へ出力する。ＳＤＩ−ＡＴＭ変換手段５０２より出力されたＡＴＭパケットはＡＴＭ網５０３を介してＳＤＩ−ＡＴＭ変換手段５０６に伝送される。
【００５３】
ＳＤＩ−ＡＴＭ変換手段５０６においては、ＡＴＭ−Ｉ／Ｆ５１９よりＡＴＭ網５０３で伝送されたＡＴＭパケットが入力される。ＡＴＭ−Ｉ／Ｆ５１９より入力されたＡＴＭパケットはＡＴＭ−ＩＦ手段５２１によりＡＴＭ伝送に必要なヘッダーなどを取り除かれ、ＡＡＬ１処理手段５２２によりＡＡＬ１処理され、ラッパー信号が復元される。ラッパー信号逆変換手段５２７ではＡＡＬ１処理手段より出力されたラッパー信号よりＳＤＩストリームを生成する。ＳＤＩ−ＡＴＭ変換手段５０６により生成されたＳＤＩストリームはＳＤＩ−Ｉ／ＦよりデジタルＶＴＲ５０７に出力される。
【００５４】
ネットワークシステム管理手段５０５は、ＩＰ網５０４を介してＳＤＩ−ＡＴＭ変換手段５０２およびＳＤＩ−ＡＴＭ変換手段５０６との間で、ＳＤＩ−ＡＴＭ変換手段５０２およびＳＤＩ−ＡＴＭ変換手段５０６が管理するデータベース情報（ＳＤＩストリームからラッパー信号への変換方法、動作モード設定情報など）のアップロードまたはダウンロードを行う。まず、アップロードの動作について説明する。ネットワークシステム管理手段５０５がＳＤＩ−ＡＴＭ変換手段５０２へ新しいデータベース情報をアップロードする場合、新しいデータベース情報を、ＩＰ網を介してＳＤＩ−ＡＴＭ変換手段５０２へ出力する。ＳＤＩ−ＡＴＭ変換手段５０２においては、システム情報管理手段５１３がＩＰ−Ｉ／Ｆ５１８、Ｅｔｈｅｒｎｅｔ−Ｉ／Ｆ手段５１５を介して入力された新しいデータベース情報をデータベース手段５１４へ格納する。ＳＤＩ−ＡＴＭ変換手段５０６も同様の動作を行って、データベース手段５２５へ新しいデータベース情報を格納する。このような動作を行うことで、新形式のデータを含むＳＤＩストリームの処理にも対応できるようになる。
【００５５】
次にダウンロードの動作について説明する。ネットワークシステム管理手段５０５はＳＤＩ−ＡＭ変換手段５０６へ現在データベース手段５２５が格納しているデータベース情報の通知を依頼する。ＳＤＩ−ＡＴＭ変換手段５０６ではデータベース手段５２５よりデータベース情報を取り出し、Ｅｔｈｅｒｎｅｔ−Ｉ／Ｆ手段５２３、ＩＰ−Ｉ／Ｆ手段５２０、ＩＰ網５０４を介してネットワークシステム管理手段５０５へ通知する。ＳＤＩ−ＡＴＭ変換手段５０２も同様の動作を行う。この動作により、ＳＤＩ−ＡＴＭ変換手段５０２、ＳＤＩ−ＡＴＭ変換手段５０６が対応可能な形式が把握できる。また、ＳＤＩ−ＡＴＭ変換手段５０２のシステム情報管理手段５１３はラッパー信号変換手段１１１で処理しているデータより現在処理中の形式、動作モードを把握して、ネットワークシステム管理手段５０５へ通知できる。さらに、システム情報管理手段５１３はＳＤＩ−ＡＴＭ変換手段５０２のエラー処理情報を含む装置の動作状況を遠隔管理情報としてネットワークシステム管理手段５０５へ通知する。なお、ＳＤＩ−ＡＴＭ変換手段５０２、ＳＤＩ−ＡＴＭ変換手段５２５でエラーなど装置の異常状態が検出された場合は、自動的にネットワークシステム管理手段５０５へ通知する。
また、システム情報管理手段５１３とＡＡＬ１処理手段５１１間、システム情報管理手段５２４とＡＡＬ１処理手段５２２間では、ＡＡＬ１の送受信パケットレート、ＡＡＬ１エラー処理情報、ＯＡＭ（operations, administration, and maintenance）セル情報などＡＡＬ１処理に関係する情報の受け渡しが行われる。
【００５６】
このように、本実施の形態によれば、新形式のデータを含んだＳＤＩストリームが入力された場合にもこの新しいデータを過不足なく抽出して伝送することが可能となる。また、広域網上の管理手段から、現時点で伝送系が管理している管理上情報をダウンロードして確認できるので、管理者がいちいち遠隔地に設置された伝送装置までその動作パラメータを設定しに行く必要が無くなり業務の効率化が可能となる。
【００５７】
なお、本実施の形態では、２つの映像データ通信装置間における動作を説明したが、これに限定するものではなく、本実施の形態と同様の動作を行うことにより、３つ以上の映像データ通信装置間でＡＴＭ網、ＩＰ網を使用して、映像データおよびデータベース情報の通信を行うことができる。
【００５８】
（実施の形態３）
本実施の形態では、入力データストリームに別の音声信号を追加してラッパー信号に変換し送信する映像データ通信装置について説明する。
【００５９】
図８は本発明の映像データ通信装置の一実施例を示すブロック図である。図８において、図１と同様の構成には同一の参照符号を付し、説明を省略する。
【００６０】
図８において、６１２はラッパー信号変換手段１１より出力されたラッパー信号を１５５Ｍ広帯域網ネットワークで伝送するために必要なヘッダーなどを付加する１５５Ｍ広域網ネットワークインタフェース手段、６１３は１５５Ｍ広帯域網ネットワークインタフェース手段より出力された信号を１５５Ｍ広帯域網へ出力する１５５Ｍ広域網ネットワークインタフェースである。
【００６１】
図８において、ＳＤＩストリーム信号入力１０１に入力されるＳＤＩストリームは１０ビットの信号とし、動作モードはマニュアル動作モードとする。また、映像データ抽出手段１０７の動作モードは、実施の形態２で説明したデータベース情報が遠隔地の管理システム（図７におけるネットワークシステム管理手段５０５）からダウンロードされたものであるとする。
【００６２】
５２５／５９．９４ｉ方式の１４３ＭｂｐｓのＳＤＩストリームの場合、映像のアクティブデータは、ライン方向に７６８ワード分である。ここで、１ワードは１０ビットで、クロック周波数は１４．３ＭＨｚである。図９に１４３ＭｂｐｓのＳＤＩストリームをラッパー信号に変換する例を示す。図９は実施の形態１と同様に５２５ラインあるデータより２０ラインを除去し、補助データ領域の14,225バイトのＡＥＳ音声（２ｃｈ）データと汎用データ領域にある272バイトの文字多重データとを合わせてラッパー信号を生成している。この場合の映像データは(242+241)(line)×768(W)×10(bit)＝463,680byteであり、12byteのヘッダーを付加されて463,692byteの映像ストリームとなり、本実施の形態では14,225byteのＡＥＳ音声、272byteの文字多重データと共に、478,549byteのコンテナに変換される。さらに、必要なヘッダーを付加され478,584byteのラッパー信号となる。この場合のデータレートは478,584(byte/frame)×8(bit)×30(frame/sec)/1.001＝114.745Mbpsとなり、１４３ＭｂｐｓのＳＤＩストリームの有効データを変換したラッパー信号を一般に普及している１５５Ｍｂｐｓの広域網（ＳＴＭ−１やＯＣ−３）を用いて伝送できる。
【００６３】
しかし、５２５／５９．９４ｉ方式の２７０ＭｂｐｓのＳＤＩストリームの場合、映像のアクティブデータは、ライン方向に１４４０ワード分であり、映像データは、ライン２２の後半、ライン２３からライン２２、ライン２６３の前半、ライン２８５からライン５２５のトータル４８３ラインに渡り、１４４０ワードの有効データとしては４８２ライン分である。この場合、映像データは、1440(W)×10(bit)×482(line)＝6960800(bits/frame)＝867,600 (bytes/frame)、データレートは867,600(byte/frame)×8(bit)×30(frame/sec)/1.001＝260.019Mbpsとなり、１５５Ｍｂｐｓを超えてしまい、ラッパー信号を１５５Ｍｂｐｓの広域網（ＳＴＭ−１やＯＣ−３）を用いて伝送できないという問題点がある。
【００６４】
なお、１５５MのＡＴＭ網で伝送できるデータ量は、最大約１１６Ｍｂｐｓである。この場合のキャリア契約最大速度は155.52Mbps×(260/270)×(0.9)＝134.784Mbpsであり、134.784×(47/53)×(124/128)=115.790Mbps（約１１６Ｍｂｐｓ）より最大伝送量は約１１６Ｍｂｐｓとなる。ここで、(260/270)はSTM-1/OC-3ヘッダー割合、(0.9)はキャリアの運用できまっている係数、(47/53)は、ATM(AAL1)ヘッダー割合、(124/128)は、AAL1のECC割合である。
【００６５】
さて、この場合のデータレートは１５５Ｍｂｐｓを超えてしまい、ここで、１ワードは１０ビットで、クロック周波数は２７ＭＨｚである。さらに、映像のアクティブデータは、そのフレーム構造において、ライン２２の後半、ライン２３から２６２、ライン２６３の前半、ライン２８５から５２５のトータル４８３ラインに渡り、１４４０ワードの有効データとしては２８２ライン分である。
【００６６】
本実施の形態では、動作モード設定を変えて、映像データの有効ビット数を１０ビットから８ビットに削減する。すなわち、ＳＤＩデータストリームに含まれる映像データを８ビットに変換して、補助データとしてのＡＥＳ音声（１０ビット）と同時にラッパー信号に変換する。この場合、ラッパー信号のデータレートは、５２５／５９．９４ｉの場合、図１０に示すように、1フレームあたり、映像データおよび汎用データ（１０ビット）が(12+12)(line)×768(W)×10(bit)+(242+241)(line)×768(W)×8(bit)＝393,984byteとＡＥＳ音声28,449byteであることから422,556byteとなり、そのデータレートは422,556(byte/frame)×8(bit)×30(frame/sec)/1.001＝101.312Mbpsとなる。従って、一般に普及している１５５Ｍｂｐｓの広域網（ＳＴＭ−１やＯＣ−３）を用いてこのラッパー信号をリアルタイムで伝送できる。すなわち、映像データを含んだＳＤＩ信号の有効ペイロードを遠隔地にまでリアルタイムで伝送できる。
なお、本実施の形態では、汎用データおよび補助データを１０ビットとしたが、これに限定するものではなく、１０ビット以下のデータでも同様の効果が得られる。
【００６７】
（実施の形態４）
本実施の形態では、入力データストリームに別の制御信号を付加し、ラッパー信号に変換して送信する映像データ通信装置について説明する。
【００６８】
図１１は本発明の映像データ通信装置の一実施例を示すブロック図である。図１１において、図１と同様の構成には同一の参照符号を付し、説明を省略する。
【００６９】
図１１において、１１０５は音声信号情報検出手段１１１５より検出された音声情報とバッファ手段１０４より出力されたＳＤＩストリームよりヘッダー情報を抽出するヘッダー情報抽出手段、１１０９はヘッダー情報抽出手段１１０５より抽出されたヘッダー情報、補助データ抽出手段１０６より抽出された補助データ、映像データ抽出手段１０７より抽出された映像データ、汎用データ抽出手段１０８より抽出された汎用データ、音声信号情報検出手段１１１５より出力された音声信号よりラッパー信号を生成してネットワークインタフェース手段１１２へ出力するラッパー生成手段、１１１１はＳＤＩ信号入力端子１０１より入力されたＳＤＩストリーム、音声信号入力端子１１１４より入力された音声信号よりラッパー信号を生成するラッパー信号変換手段、１１１４は音声信号が入力される音声信号入力、１１１５は音声信号入力端子１１１４より入力された音声信号の種類や１フレーム当たりのデータ量などが検出する音声信号情報検出手段である。
【００７０】
音声信号入力１１１４より新たな音声信号が入力され、音声信号情報検出手段１１１５にて、音声信号の種類や１フレーム当たりのデータ量などが検出され、ヘッダー情報抽出手段１１０５に入力される。また、ＳＤＩストリーム（１０ビットの信号）、および動作モード外部切替え信号がそれぞれＳＤＩ信号入力端子１０１、動作モード外部切替え信号入力端子１０２よりデータストリーム入力・動作モード切替え手段１０３に入力される。ここで、動作モードはマニュアル動作モードとする。さらに、音声信号情報検出手段１１１５およびその出力のラッパー生成手段１１０９における動作モードは、実施の形態２で説明した動作情報が遠隔地の管理システム（図７におけるネットワークシステム管理手段５０５）からダウンロードされるものとする。また、ヘッダー情報抽出手段１１０５は音声信号情報検出手段１１５より出力された情報とバッファ手段１０４から出力されたＳＤＩストリームから抽出した情報よりヘッダー情報を作成する。さらに、ラッパー生成手段１１０９はヘッダー情報抽出手段１１０５が出力したヘッダー情報、補助データ抽出手段１０６が出力した補助データ、映像データ抽出手段１０７が出力した映像データと汎用データ１０８が出力した汎用データと音声信号情報検出手段１１１５より出力された音声データを合成してラッパー信号を生成する。
【００７１】
図１２に２７０ＭｂｐｓのＳＤＩデータストリームに含まれる映像データ（１０ビット）、文字多重データ（１０ビット）および放送局運用データ（１０ビット）、さらに音声信号入力端子１１０３より入力されたＡＥＳ音声（４ｃｈ）をラッパー信号に変換する場合の変換過程を示す。図１２の例では、文字多重データおよび放送局運用データはSDI Active line payloadに含まれ、505(line)×1440(W)×10(bit)＝909,000byteの映像ストリームとして生成され、25,626byteの補助データ領域のＡＥＳ音声（４ｃｈ）と共にコンテナ用のヘッダーを付加されて934,726byteのコンテナとなり、同期層で必要なヘッダー等を付加され925,151byteのラッパー信号となる。この場合のデータレートは934,761(byte/frame)×8(bit)×30(frame/sec)/1.001＝224.118Mbpsとなる。
【００７２】
以上の様に、ＳＤＩストリーム以外に、ＳＤＩストリームとは別入力の音声信号も同時にラッパー信号に変換することができる。
【００７３】
なお、本実施の形態では別入力の音声信号をＡＥＳ／ＥＢＵ形式のＡＥＳ音声（４ｃｈ）として説明したが、これに限定するものではなく、例えば、ＭＰＥＧ方式の音声ストリーム、ＷＡＶＥ方式、ＭＩＤＩ(Musical Instrument Digital Interface)形式、ＡＡＦ形式、またはアナログ音声をサンプリングしたＰＣＭ(Pulse Code Modulation)音声データでもよい。
【００７４】
（実施の形態５）
本実施の形態では、入力データストリームを１５５．５２Ｍｂｐｓ帯域の標準的な伝送チャネルを用いて送信する映像データ通信装置について説明する。
【００７５】
図１３は本実施の形態の映像データ通信装置の一構成例を示すブロック図である。図１３において、図１と同様の構成には同一の参照符号を付し、説明を省略する。
【００７６】
図１３において、１３０５は遠隔制御信号検出手段１３１５より検出された遠隔制御信号とバッファ手段１０４より出力されたＳＤＩストリームよりヘッダー情報を抽出するヘッダー情報抽出手段、１３１４は遠隔制御信号が入力される遠隔制御信号入力、１３１５は遠隔制御信号入力１３１４より入力された遠隔制御信号より入力遠隔制御信号の種類や１フレーム当たりのデータ量などを検出する遠隔制御信号検出手段、１３０９はヘッダー情報抽出手段１３０５より抽出されたヘッダー情報、補助データ抽出手段１０６より抽出された補助データ、映像データ抽出手段１０７より抽出された映像データ、汎用データ抽出手段１０８より抽出された汎用データ、遠隔制御信号検出手段１３１５より出力された遠隔制御信号よりラッパー信号を生成してネットワークインタフェース手段１１２へ出力するラッパー生成手段、１３１１はＳＤＩ信号入力端子１０１より入力されたＳＤＩストリーム、遠隔制御信号入力端子１３１４より入力された遠隔制御信号よりラッパー信号を生成するラッパー信号変換手段である。
【００７７】
遠隔制御信号入力１３１４より新たな遠隔制御信号が入力され、遠隔制御情報検出手段１３１４にて、遠隔制御信号の種類や１フレーム当たりのデータ量などが検出されヘッダー情報抽出手段１３０５およびラッパー生成手段１３０９に入力される。また、ＳＤＩストリーム（１０ビットの信号）、および動作モード外部切替え信号がそれぞれＳＤＩ信号入力端子１０１、動作モード外部切替え信号入力端子１０２よりデータストリーム入力・動作モード切替え手段１０３に入力される。データストリーム入力・動作モード切替え手段１０３より出力されたデータはバッファ手段１０４を介して、ヘッダー情報抽出手段１３０５、補助データ抽出手段１０６、映像データ抽出手段１０７、汎用データ抽出手段１０８へ出力される。本実施の形態では、動作モードにはマニュアル動作モードとする。さらに、遠隔制御信号検出手段１３１５およびラッパー生成手段１３０９における動作モードは、実施の形態２で説明した動作情報が遠隔地の管理システム（図７におけるネットワークシステム管理手段５０５）からダウンロードされるものとする。
【００７８】
ヘッダー情報抽出手段１３０５はバッファ手段１０４より出力されたデータと遠隔制御信号検出手段より出力された遠隔制御信号よりヘッダー情報を抽出する。ラッパー生成手段１３０９はヘッダー情報抽出手段１３０５より抽出されたヘッダー情報、補助データ抽出手段１０６より抽出された補助データ、映像データ抽出手段１０７より抽出された映像データ、汎用データ抽出手段１０８より抽出された汎用データ、遠隔制御信号検出手段１３１５より出力された音声信号よりラッパー信号を生成してネットワークインタフェース手段１１２へ出力する。
【００７９】
以上の構成で、ＳＤＩストリーム以外に、ＳＤＩストリームとは別入力の遠隔制御信号も同時にラッパー信号に変換することができる。
【００８０】
なお、遠隔制御信号を構成する制御データは、ＲＳ４２２形式、ＲＳ２３２形式、ＵＳＢ形式またはＩＥＥＥ１３９４のＡＶプロトコル形式のデータでもよい。ＩＥＥＥ１３９４のＡＶプロトコルに関しては、「高速デジタルインタフェース、ＩＥＥＥ１３９４、ＡＶ機器への応用」、高田信司（監修）、日刊工業新聞刊、第3章、ＡＶデータ伝送において説明されている。
【００８１】
（実施の形態６）
本実施の形態では、入力されたデータストリームをＮ個（Ｎは２以上の整数）に分配し、それぞれをラッパー信号に変換して伝送する映像データ通信装置について説明する。本実施の形態では、Ｎ＝２の場合について説明する。
【００８２】
図１４は本実施の形態の映像データ通信装置の一構成例を示すブロック図である。図１４において、図１と同様の構成には同一の参照符号を付し、説明を省略する。
【００８３】
図１４において、１４０４はデータストリーム入力・動作モード切替え手段１０３より出力されたデータを第１（ｎ＝１）のＶ同期、Ｈ同期選択ラインナンバー判定手段１４０５、第１のヘッダー情報抽出手段１４０６、第１の補助データ抽出手段１４０７、第１の映像データ抽出手段１４０８、第１の汎用データ抽出手段１４０９、第２（ｎ＝２）のＶ同期、Ｈ同期選択ラインナンバー判定手段１４１２、第２のヘッダー情報抽出手段１４１３、第２の補助データ抽出手段１４１４、第２の映像データ抽出手段１４１５、第２の汎用データ抽出手段１４１６へ出力するバッファ手段、１４０５、１４１２はそれぞれ、バッファ手段１４０４より出力されたデータが選択すべきラインナンバーのデータであるか判定する第１および第２のＶ同期、Ｈ同期選択ラインナンバー判定手段、１４０６、１４１３はそれぞれ第１のＶ同期、Ｈ同期選択ラインナンバー判定手段１４０５、第２のＶ同期、Ｈ同期選択ラインナンバー判定手段１４１２の判定に従って入力されたデータよりヘッダー情報を抽出し、所定の順に並べる第１および第２のヘッダー情報抽出手段、１４０７，１４１４はそれぞれ第１のＶ同期、Ｈ同期選択ラインナンバー判定手段１４０５、第２のＶ同期、Ｈ同期選択ラインナンバー判定手段１４１２の判定に従って入力されたデータより音声データや一般データからなる補助データを抽出し、所定の順に並べる第１および第２の補助データ抽出手段、１４０８、１４１５はそれぞれ第１のＶ同期、Ｈ同期選択ラインナンバー判定手段１４０５、第２のＶ同期、Ｈ同期選択ラインナンバー判定手段１４１２の判定に従って入力されたデータより映像データの全てまたは一部を抽出し所定の順に並べる第１および第２の映像データ抽出手段、１４０９、１４１６はそれぞれ第１のＶ同期、Ｈ同期選択ラインナンバー判定手段１４０５、第２のＶ同期、Ｈ同期選択ラインナンバー判定手段１４１２の判定に従って入力されたデータより汎用データを抽出し、所定の順に並べる第１および、第２の汎用データ抽出手段、１４１１は第１のヘッダー情報抽出手段１４０６より出力されたヘッダー情報、第１の補助データ抽出手段１４０７より出力された補助データ、第１の映像データ抽出手段１４０８より出力された映像データ、第１の汎用データ抽出手段１４０９より出力された汎用データよりラッパー信号を生成する第１のラッパー生成手段、１４１７は第２のヘッダー情報抽出手段１４１３より出力されたヘッダー情報、第２の補助データ抽出手段１４１４より抽出された補助データ、第２の映像データ抽出手段１４１５より出力された映像データ、第２の汎用データ抽出手段１４１６より出力された汎用データよりラッパー信号を生成する第２のラッパー生成手段、１４１８、１４１９はそれぞれ第１のラッパー生成手段１４１１、第２のラッパー生成手段１４１７より出力されたラッパー信号を伝送できる信号に変換して出力する第１および第２のネットワークインタフェース手段、１４２０、１４１２１はそれぞれ第１のネットワークインタフェース手段１４１８、第２のネットワークインタフェース手段１４１９より出力された信号をＡＴＭ網などに出力するネットワークインタフェースである。
データストリーム入力・動作モード切替え手段１０３は、実施の形態１と同様の動作を行い、入力された動作モード外部切替え信号入力端子１０２より入力される新たな動作モード信号と、ＳＤＩ信号入力端子１０１より入力される１フレーム分のＳＤＩストリーム（１０ビットの信号）をバッファ手段１４０４へ出力する。バッファ手段１４０４は1フレーム分のＳＤＩストリームをそれぞれ、第１のＶ同期、Ｈ同期選択ラインナンバー判定手段１４０５、第１のヘッダー情報抽出手段１４０６、第１の補助データ抽出手段１４０７、第１の映像データ抽出手段１４０８、第１の汎用データ抽出手段１４０９、第２のＶ同期、Ｈ同期選択ラインナンバー判定手段１４１２、第２のヘッダー情報抽出手段１４１３、第２の補助データ抽出手段１４１４、第２の映像データ抽出手段１４１５、第２の汎用データ抽出手段１４１６へ出力する。
【００８４】
第１のＶ同期、Ｈ同期選択ラインナンバー判定手段１４０５は入力されたデータが選択すべきラインのデータであるかを判定し、判定結果を第１のヘッダー情報抽出手段１４０６、第１の補助データ抽出手段１４０７、第１の映像データ抽出手段１４０８、第１の汎用データ抽出手段１４０９へ出力する。第１のヘッダー情報抽出手段１４０６は判定結果を参照し、バッファ手段１４０４より入力されたデータが選択すべきラインのデータである場合はヘッダー情報を抽出し、ラッパー生成手段１４１１へ出力する。同様に、第１の補助データ抽出手段１４０７、第１の映像データ抽出手段１４０８、第１の汎用データ抽出手段１４０９は判定結果に従って、それぞれ、補助データ、映像データ、汎用データを抽出して、第１のラッパー生成手段１４１１へ出力する。第２のＶ同期、Ｈ同期選択ラインナンバー判定手段１４１２、第２のヘッダー情報抽出手段１４１３、第２の補助データ抽出手段１４１４、第２の映像データ抽出手段１４１５、第２の汎用データ抽出手段１４１６も同様の動作を行う。
【００８５】
第１のラッパー生成手段１４１１、第２のラッパー生成手段１４１７はそれぞれ実施の形態１と同様の動作を行い、ラッパー信号を生成する。第１のラッパー生成手段１４１１で生成されたラッパー信号は第１のネットワークインタフェース手段１４１８を介してネットワークインタフェース１４２０へ出力される。同様に、第２のラッパー生成手段１４１９で生成されたラッパー信号は第２のネットワークインタフェース手段１４２１を介してネットワークインタフェース１４２０へ出力される。本実施の形態では、動作モードはマニュアル動作モードとする。さらに、データストリーム入力・動作モード切替え手段１０３における動作モードは、実施の形態２で説明した動作情報が遠隔地の管理システム（図７におけるネットワークシステム管理手段５０５）からダウンロードされたものとする。
【００８６】
図１５に本実施の形態におけるラッパー信号の生成過程を示す。図１５に示すように、１フレームのＳＤＩストリームを２つに分割して２つのラッパー信号を生成する。Ｖ同期・Ｈ同期選択ラインナンバー判定手段１４０５およびＶ同期・Ｈ同期選択ラインナンバー判定手段１４１２は、それぞれ２つのラッパーへのペイロードの分配をライン単位で行う。この場合、フレーム単位の映像ラインを２つに分配する方法として、奇数ラインであるか、偶数ラインであるかにより行うとする。第１のＶ同期・Ｈ同期選択ラインナンバー判定手段１４０５が奇数ラインのラインを選択するとすると、第１のＶ同期・Ｈ同期選択ラインナンバー判定手段１４０５は入力されるストリームが奇数ラインであった場合に、第１のヘッダー情報抽出手段１４０６、第１の補助データ抽出手段１４０７、第１の映像データ抽出手段１４０８、第１の汎用データ抽出手段１４０９に該当するラインのデータを出力させる。また、第２のＶ同期・Ｈ同期選択ラインナンバー判定手段１４１２は入力されるＳＤＩストリームが偶数ラインであるかを判定し、同様の動作を行う。
【００８７】
２つのラッパー信号の伝送は、例えば、第１のネットワークインタフェース手段１４１８および第２のネットワークインタフェース手段１４１９がＡＴＭの場合、それぞれのＶＰＩ／ＶＣＩを異なる値に設定することにより、広域網上で２本の論理的な仮想網上を伝送できる。なお、ＶＰＩ(Virtual Path Identifier)，ＶＣＩ(Virtual channel Identifier)に関しては、たとえば、「やさしいＡＴＭ」、青山友紀／鈴木滋彦（監修）、電気通信協会、第２章や、「ポイント図解式、標準ＡＴＭ教科書」、富永英義／石川宏（監修）、アスキー出版、第３章、第４章で説明されている。
【００８８】
図１５に示すように、第１の映像データ抽出手段１４０８はＳＤＩストリームより、ラインナンバーが２２から２６３までのアクティブペイロードスペースに存在する映像データの全てまたは一部を抽出し、第２の映像データ抽出手段は入力ＳＤＩストリームより、ラインナンバーが２８５から５２５までのアクティブペイロードスペースに存在する映像データの全てまたは一部を抽出するため、ＳＤＩストリーム内の映像データは２５３ラインと２５２ラインに分配され、それぞれ253×1440×10＝455,400byte、252×1440×10＝453,600byteとなる。各映像データはヘッダーを付加されて455,412byteの映像データストリーム１、453,612byteの映像データストリーム２となる。また、第１の補助データ抽出手段は、ＳＤＩストリームより、ラインナンバーが１から２６３までのラインに存在する補助データの全てまたは一部を抽出し、第２の補助データ抽出手段は、ＳＤＩストリームより、ラインナンバーが２６３から５２５までのラインに存在する補助データの全てまたは一部を抽出するので、29.499byteのＡＥＳ音声（４ｃｈ）は14,253byteと14,196byteに分配される。各映像ストリームはＡＥＳ音声とコンテナ用のヘッダーを付加して、469,753byteのコンテナ１、467,896byteのコンテナ２となる。コンテナ１、コンテナ２は必要なヘッダーを付加され、469,788byteのラッパー信号１、467,931byteのラッパー信号２となる。２つのラッパー信号のデータレートは、それぞれ、469,776(byte/frame)×8(bite)×30/1.001＝１１２．６３３Ｍｂｐｓおよび467,931(byte/frame)×8(bite)×30/1.001＝１１２．１８８Ｍｂｐｓであるため、それぞれを１５５Ｍｂｐｓの広域網（ＳＴＭ−１やＯＣ−３）を用いて伝送できる。
【００８９】
本実施の形態では、以上の構成で、ＳＤＩ信号を、６２０Ｍｂｐｓの伝送網でなく、１５５Ｍｂｐｓの広域網（ＳＴＭ−１やＯＣ−３）を２本用いて伝送することができる。
【００９０】
なお、本実施の形態では、ＳＤＩストリームを２つ分配する方法として、奇数ライン、偶数ラインで分配すると説明したが、これに限定するものではなく、例えば、１フレームの前半のライン、後半のラインで分配してもよい。
【００９１】
また、本実施の形態では、ＳＤＩストリームを２つ（Ｎ＝２）に分配して説明したが、これに限定するものではなく、３つ（Ｎ＝３）以上に分配しても、同様の動作を行って、ラッパー信号に変換して伝送することができる。これは、ヘッダー情報抽出手段、補助データ抽出手段などをＮ個備え、バッファ手段が各手段にデータを出力することで実現できる。
【００９２】
また、本実施の形態では補助データとしてＡＥＳ音声（４ｃｈ）を例にとって説明したが、これに限定するものではない。
【００９３】
また、本実施の形態ではラッパー信号をＳＴＭ−１やＯＣ−３を用いて伝送したが、これに限定するものではなく、SDH(Synchronous Digital Hierarchy)規格、ITU-T G.707、またはSONET(Synchronous Optical NETwork)規格、GR-253-COREで規定された伝送網を用いて伝送することもできる。
【００９４】
（実施の形態７）
本実施の形態では、実施の形態６で生成された２つ（Ｎ＝２）のラッパー信号を受信して、元のＳＤＩストリームに変換する映像データ通信装置にについて説明する。
【００９５】
図１６は本実施の形態の映像データ通信装置の一実施例を示すブロック図である。
【００９６】
図１６において、１６０１、１６０２は伝送されてきたデータを入力する入力端子、１６０３、１６０４はそれぞれ入力端子１６０１、入力端子１６０２より入力されたデータより伝送に必要な情報を除去してラッパー信号出力する第１（ｎ＝１）および第２（ｎ＝２）のネットワークインタフェース、１６０５、１６１１はそれぞれ第１のネットワークインタフェース１６０３、第２のネットワークインタフェース１６０４より出力されたラッパー信号を受信する第１および第２のラッパー信号受信手段、１６０６、１６１２はそれぞれＶ同期信号、Ｈ同期信号よりラインナンバーを判定する第１および第２のＶ同期、Ｈ同期ラインナンバー判定手段、１６０７は第１のラッパー信号受信手段１６０５より出力されたラッパー信号よりヘッダー情報を抽出し、第１のＶ同期、Ｈ同期ラインナンバー判定手段１６０６、動作モード入出力手段１６１８に出力する第１のヘッダー情報抽出手段、１６０８、１６１４はそれぞれ第１のラッパー信号受信手段１６０５、第１のラッパー信号受信手段１６１１より出力されたラッパー信号より補助データを抽出する第１および第２の補助データ抽出手段、１６０９、１６１５はそれぞれ第１のラッパー信号受信手段１６０５、第２のラッパー信号受信手段１６１１より出力されたラッパー信号より映像データを抽出する第１および第２の映像データ抽出手段、１６１０、１６１６はそれぞれ第１のラッパー信号受信手段１６０５、第２のラッパー信号受信手段１６１１より出力されたラッパー信号より汎用データを抽出する第１および第２の汎用データ抽出手段、１６１７はＶ同期信号、Ｈ同期信号を生成し、第１のＶ同期、Ｈ同期ラインナンバー判定手段１６０６、第２のＶ同期、Ｈ同期ラインナンバー判定手段１６１２へ出力するＶ同期信号Ｈ同期信号生成手段、１６１８は動作モードの入出力を行う動作モード入出力手段、１６１９は第１の補助データ抽出手段１６０８、第１の映像データ抽出手段１６０９、第１の汎用データ抽出手段１６１０、第２の補助データ抽出手段１６１４、第２の映像データ抽出手段１６１５、第２の汎用データ抽出手段１６１６より出力されたデータよりＳＤＩストリームを生成するＳＤＩ信号合成手段、１６２０はＶ同期信号Ｈ同期信号生成手段１６１７へ映像リファレンス信号を入力する映像リファレンス信号入力、１６２１は動作モードを入力する動作モード入力、１６２２はＳＤＩ信号合成手段１６１９が生成したＳＤＩストリームを出力するＳＤＩ信号出力である。
【００９７】
入力端子１６０１および入力端子１６０２より、それぞれ、図１５におけるラッパー信号１およびラッパー信号２をペイロードとするネットワーク伝送信号（例えば、ＡＴＭ網の場合はＡＴＭパケット、またＩＰ網の場合はＩＰパケット）が、それぞれ第１のネットワークインタフェース手段１６０３および第２のネットワークインタフェース手段１６０４に入力される。本実施の形態では、ＡＴＭ網の場合について説明する。
【００９８】
第１のネットワークインタフェース手段１６０３では、受信したＡＴＭパケットよりペイロードを抽出し、ラッパー信号１を再生成し、第１のラッパー信号受信手段１６０５へ出力する。第１のラッパー信号受信手段１６０５に入力されたラッパー信号１は第１のヘッダー情報抽出手段１６０７、第１の補助データ抽出手段１６０８、第１の映像データ抽出手段１６０９、および第１の汎用データ抽出手段１６１０に入力される。同様に、第２のネットワークインタフェース手段１６０４は、受信したＡＴＭパケットよりペイロードを抽出し、ラッパー信号２を再生成して第２のラッパー信号受信手段１６１１へ出力する。第２のラッパー信号受信手段１６１１に入力されたラッパー信号２は、第２のヘッダー情報抽出手段１６１３、第２の補助データ抽出手段１６１４、第２の映像データ抽出手段１６１５、および第２の汎用データ抽出手段１６１６に入力される。
【００９９】
一方、映像リファレンス信号が映像リファレンス信号入力１６２０より、Ｖ（垂直）同期信号・Ｈ（水平）同期信号生成手段１６１７に入力され、Ｖ同期信号およびＨ同期信号が生成され、第１のＶ同期・Ｈ同期ラインナンバー判定手段１６０６および第２のＶ同期・Ｈ同期ラインナンバー判定手段１６１２に入力される。また、第１のヘッダー情報抽出手段１６０７および第２のヘッダー情報抽出手段１６１２で復元されたヘッダー情報も、それぞれ、第１のＶ同期・Ｈ同期ラインナンバー判定手段１６０６および第２のＶ同期・Ｈ同期ラインナンバー判定手段１６１２に入力される。なお、第１のヘッダー情報抽出手段１６０７で復元されたヘッダー情報は、さらに、動作モード入出力手段１６１８に入力され、出力端子１６２１より動作モードが出力される。なお、動作モード入出力手段１６１８は、遠隔地の管理システムと通信されれば、ＩＰ網を介してネットワークシステムの管理をすることもできる。管理システムは動作モードを見て、故障などを検出できる。
【０１００】
第１のＶ同期・Ｈ同期ラインナンバー判定手段１６０６は第１の補助データ抽出手段１６０８、第１の映像データ抽出手段１６０９、第１の汎用データ抽出手段１６１０、第２のＶ同期・Ｈ同期ラインナンバー判定手段１６１２は、第２の補助データ抽出手段１６１４、第２の映像データ抽出手段１６１５、および第２の汎用データ抽出手段１６１６のそれぞれにおいて分離される補助データ、映像データ、汎用データのＳＤＩ信号合成手段１６１９への出力データ形式および出力タイミングを出力する。第１の補助データ抽出手段１６０８、第１の映像データ抽出手段１６０９、第１の汎用データ抽出手段１６１０は第１のＶ同期、Ｈ同期ラインナンバー判定手段１６０６の指示に従って、抽出したデータをＳＤＩ信号合成手段１６１９へ出力する。同様に、第２の補助データ抽出手段１６１４、第２の映像データ抽出手段１６１５、第２の汎用データ１６１６は第２のＶ同期、Ｈ同期ラインナンバー判定手段１６１２の指示に従って、抽出したデータをＳＤＩ信号合成手段１６１９へ出力する。ＳＤＩ信号合成手段１６１９では、入力されたデータを合成してＳＤＩ信号を生成しＳＤＩ信号出力１６２２よりＳＤＩ信号を出力する。
【０１０１】
なお、本実施の形態では、２つ（Ｎ＝２）のラッパー信号を受信した場合について説明したが、３つ以上のラッパー信号を受信した場合でも同様の動作を行って、複数のラッパー信号よりＳＤＩ信号を生成することができる。こでは、Ｎの数だけ、ヘッダー情報抽出手段などを備えることで実現できる。
【０１０２】
（実施の形態８）
２つの映像データ通信間においてデータストリームを複数のラッパー信号に変換して通信し、広帯域上の管理手段と管理情報のアップロード、ダウンロードを行う通信方法を説明する。
【０１０３】
図１７は本実施の形態の映像データ通信装置の一構成例を示すブロック図である。図１７において、図６と同様の構成には同一の参照符号を付し、説明を省略する。
【０１０４】
図１７において、１７０１、１７０７はＳＤＩストリームを記録再生するデジタルＶＴＲ、１７０２はデジタルＶＴＲ１７０１より出力されたＳＤＩストリームをＡＴＭパケットに変換してＡＴＭ網１７０３に出力するＳＤＩ−ＡＴＭ変換手段、１７０３はＡＴＭ網、１７０４はＩＰ網、１７０５はＳＤＩ−ＡＴＭ変換手段１７０２、ＳＤＩ−ＡＴＭ変換手段１７０６におけるデータベース情報を管理するネットワークシステム管理手段、１７０６はＡＴＭ網より受信したＡＴＭパケットをＳＤＩストリームを復元するＳＤＩ−ＡＴＭ変換手段、１７１０はＳＤＩストリームを２つのラッパー信号に変換するラッパー信号変換手段、１７１６、１７３１はデータベース情報を管理するシステム情報管理手段、１７３４は復元された２つのラッパー信号よりＳＤＩストリームを生成するラッパー信号逆変換手段、１７３６はラッパー信号逆変換手段より出力されたＳＤＩストリームを出力するＳＤＩ−Ｉ／Ｆ、１７３７は動作モードを出力する動作モード出力である。
【０１０５】
送信側に配置されたデジタルＶＴＲ１７０１より、ＳＤＩストリームがＳＤＩ−ＡＴＭ変換手段１７０２に出力される。ＳＤＩ−ＡＴＭ変換手段１７０２においては、ラッパー信号変換手段１７１０において、実施の形態６と同様の動作が行われ、生成された２つのラッパー信号がそれぞれ２つのＡＡＬ１処理手段５１１、ＡＴＭ−Ｉ／Ｆ手段５１２を介してＡＴＭ−Ｉ／Ｆ５１７より出力される。ラッパー信号をＡＴＭパケット化してＡＴＭ網へ出力する動作は実施の形態２と同様の動作で行われる。ＳＤＩ−ＡＴＭ変換手段１７０２より出力された２つのラッパー信号はＡＴＭ網１７０３を介してＳＤＩ−ＡＴＭ変換手段１７０６に伝送される。ＳＤＩ−ＡＴＭ変換手段１７０６では、２系統で実施の形態２と同様の動作を行い、受信した２系統のＡＴＭパケットより２つのラッパー信号を生成する。さらにラッパー信号逆変換手段１７３４において、実施の形態６と同様の動作を行い、受信した２つのラッパー信号から復元された１つのＳＤＩストリームがＳＤＩ−Ｉ／Ｆ１７３６を介して、デジタルＶＴＲ７０７にＳＤＩストリームを出力される。また、動作モードが動作モード１７３７より出力される。
【０１０６】
また、ネットワークシステム管理手段１７０５は、実施の形態２と同様の動作を行い、ＩＰ網１７０４を介してＳＤＩ−ＡＴＭ変換手段１７０２およびＳＤＩ−ＡＴＭ変換手段１７０６との間で、ネットワークインタフェース手段のデータベース情報（ＳＤＩストリームからラッパー信号への変換方法、動作モード設定情報など）アップロードまたはダウンロードする。これにより、新形式のデータを含んだＳＤＩストリームが入力された場合にもこの新しいデータを過不足なく抽出して伝送することが可能となる。また、広域網上の管理手段から、現時点で伝送系が管理している管理上情報をダウンロードして確認できるので、管理者がいちいち遠隔地に設置された伝送装置までその動作パラメータを設定しに行く必要が無くなり業務の効率化が可能となる。
【０１０７】
なお、図１７に示したネットワークインタフェース部１７１９、ネットワークインタフェース部１７３３の構成においては、ＡＴＭ出力は２系統あるのに対して、ネットワークシステムの管理系と通信する部分（システム情報管理手段１７１６、システム情報管理手段１７３１やデータベース手段１７１７およびデータベース手段１７３２）はそれぞれ１系統であり、システム情報管理手段１７１６、システム情報管理手段１７３１はそれぞれ２系統のＡＡＬ１処理手段と実施の形態２と同様の動作を行う。
【０１０８】
（実施の形態９）
本実施の形態では、入力データストリームに含まれる信号がＳＤＴＩストリームである場合の映像データ通信装置について説明する。
【０１０９】
図１８は本実施の形態の映像データ通信装置の一構成例を示すブロック図である。
【０１１０】
図１８において、１８０１はＳＤＩストリームまたはＳＤＴＩストリーム（どちらも１０ビットの信号）が入力されるＳＤＩ／ＳＤＴＩ信号入力端子、１８０２は動作モード外部切替え信号が入力される動作モード外部切替え信号入力、１８０３は入力されたストリームがＳＭＰＴＥ３０５Ｍで規定されたＳＤＴＩストリームであることを判定するＳＤＩ／ＳＤＴＩデータストリーム入力・動作モード切替え手段、１８０４はＳＤＩ／ＳＤＴＩデータストリーム入力・動作モード切替え手段より出力されたデータをヘッダー情報抽出手段１８０５、補助データ抽出手段１８０６、映像データ抽出手段１８０７、汎用データ抽出手段１８０８へ出力するバッファ手段、１８０５はバッファ手段１８０４より出力されたデータよりヘッダー情報を抽出するヘッダー情報抽出手段、１８０６はバッファ手段１８０４より出力されたデータより補助データを抽出する補助データ抽出手段、１８０７はバッファ手段１８０４より出力されたデータより映像データを抽出する映像データ抽出手段、１８０８はバッファ手段１８０４より出力されたデータより汎用データを抽出する汎用データ抽出手段、１８０９はヘッダー情報抽出手段１８０５より出力されたヘッダー情報、補助データ抽出手段１８０６より出力された補助データ、映像データ抽出手段１８０７より出力された映像データ、汎用データ抽出手段１８０８より出力された汎用データよりラッパー信号を生成するラッパー生成手段、１８１０はラッパー信号を出力するラッパー信号出力、１８１１は入力されたＳＤＩ信号またはＳＤＴＩ信号をラッパー信号に変換するラッパー信号変換手段、１８１２はラッパー生成手段１８０９が出力したラッパー信号を伝送できるデータに変換するネットワークインタフェース手段、１８１３はネットワークインタフェース手段１８１２が出力するデータを出力するネットワークインタフェースである。
【０１１１】
ＳＤＴＩストリーム（１０ビットの信号）がＳＤＩ／ＳＤＴＩ信号入力端子１８０１、動作モード外部切替え信号（自動モード）が動作モード外部切替え信号入力端子１８０２よりＳＤＩ／ＳＤＴＩデータストリーム入力・動作モード切替え手段１８０３に入力される。動作モードには自動動作モードとマニュアル動作モードとがあり、この入力信号により切り替えられる。自動動作モードでは、ＳＤＩ信号またはＳＤＴＩ信号の伝送レート、入力ＳＤＩストリームに含まれる映像のモード検出、例えば、ＮＴＳＣ／ＰＡＬモード検出、３６０／２７０／１４３Ｍｂｐｓ、補助データ（ＡＮＣデータ）の有無などのモード検出、さらには入力ＳＤＴＩ信号に含まれるデータのモード判別などを行う。また、マニュアル動作モードでは、自動動作モードで検出されるモードや、その他、データ抽出などに関する動作モードのモード設定を行う。動作モード外部切替え信号入力端子１８０２より入力される動作モード外部切替え信号は、たとえば８ビットであり、ＭＳＢ（第８ビット）が自動／マニュアルの切替え、設定に使用される。また、第７ビットがＳＤＩ／ＳＤＴＩの切替え、設定に使用される。また、第６，５ビットがＳＤＩ／ＳＤＴＩビットレートの切替え、設定に使用される。
【０１１２】
ＳＤＴＩストリームのモードが５２５／５９．９４ｉ方式、２７０Ｍｂｐｓの場合、ＳＤＴＩのアクティブデータは、ライン方向に１４４０ワード分である。ここで、１ワードは１０ビットで、クロック周波数は２７ＭＨｚである。この場合は図１９に示す用に２７０ＭｂｐｓのＳＤＴＩストリームの有効データとして、525(line)×1440(W)×8(bit)＝756,000byteのＳＤＴＩのアクティブペイロード部（１０ビットのデータからパリティを除去し、８ビットの有効データに変換）および53(W)×10(bit)＝67byteの補助データ（ＡＮＣデータ）としてのＳＤＴＩヘッダーを抽出し、756,176byteのラッパー信号を生成する。
【０１１３】
ここで、ＳＤＴＩヘッダー信号は各ラインで同じであるため、１フレームに１回だけ伝送しても受信側でＳＤＴＩストリームを復元できる。なお、ＳＤＴＩヘッダー以外の補助データ（ＡＮＣデータ）は、ライン毎に伝送が必要な補助データを伝送する。
【０１１４】
以上、本実施例の構成により、あらゆるＳＤＴＩ信号の有効データをラッパー信号に変換できる。
【０１１５】
なお、本実施の形態では、２つの映像データ通信装置間における動作を説明したが、これに限定するものではなく、本実施の形態と同様の動作を行うことにより、３つ以上の映像データ通信装置間でＡＴＭ網、ＩＰ網を使用して、映像データおよびデータベース情報の通信を行うことができる。
【０１１６】
（実施の形態１０）
図２０は本発明の映像データ通信方法の一実施例を示すブロック図である。
【０１１７】
図２０において、２００１は中継映像をＳＤＩストリームとして出力する映像音声中継手段、２００２は制御信号を発生させる制御信号発生手段、２００３は映像音声中継手段２００１より出力されたＳＤＩストリーム、制御信号発生手段２００２より出力された制御信号をラッパー信号に合成し、ＡＴＭパケットに変換するＳＤＩ−ＡＴＭ変換手段、２００５はＡＴＭ網、２００５はＣＭ映像などを出力するデジタルＶＴＲ、２００６はＡＴＭ網より受信したＡＴＭパケットより制御信号、中継映像であるＳＤＩストリームを復号するＳＤＩ−ＡＴＭ変換手段、２００７はＳＤＩ−ＡＴＭ変換手段２００６より出力された制御信号に従ってデジタルＶＴＲ２００５、スイッチャ２００８を制御するスイッチャ手段、２００８は制御手段２００７の制御に従って、デジタルＶＴＲより出力されるＣＭ映像、ＳＤＩ−ＡＴＭ変換手段２００６より出力される中継映像のいずれかを選択するスイッチャ手段、２００９はスイッチャ手段２００８から出力されたＳＤＩ信号を放送する放送手段である。
【０１１８】
送信側に配置された映像音声中継手段２００１より、ＳＤＩストリームがＳＤＩ−ＡＴＭ変換手段２００３に入力される。また、受信側でのスイッチャ制御信号が制御信号発生手段２００２で生成されＳＤＩ−ＡＴＭ変換手段２００３に入力される。ＳＤＩ−ＡＴＭ変換手段２００３は、実施の形態５で説明した構成であり、入力されたＳＤＩストリームとスイッチャ制御信号をラッパー信号に合成し、ＡＴＭ網２００４を介して受信側のＳＤＩ−ＡＴＭ変換手段２００６に伝送する。ＳＤＩ−ＡＴＭ変換手段２００６では、受信したＡＴＭパケットよりラッパー信号を復元し、さらにＳＤＩストリームと制御信号を復元する。スイッチャ制御信号は制御手段２００７に入力され、制御手段２０７はスイッチャ手段２００８の出力と、デジタルＶＴＲ２００５を制御する。一方、スイッチャ手段２００８には、ＳＤＩ−ＡＴＭ変換手段２００６のＳＤＩ出力と、デジタルＶＴＲ２００５のＳＤＩ出力が入力され、制御手段２００７の制御に従って、スイッチャ手段２００８の出力信号が切り替えられ、切り替えられた出力ＳＤＩストリームが放送手段２００９に入力される。
【０１１９】
本構成により、例えば、野球中継などにおいて、東京の放送局Ａにおいて、中継されていきた映像と、受信側でのＣＭ（コマーシャル）挿入タイミングを含んだ制御信号を、大阪の放送局に伝送し、大阪の放送局からの放送番組を中継映像、またはＶＴＲからのＣＭ映像に切り替えることができる。また、制御信号のビット数を増やすことにより、日本全国レベルでスイッチャの経路制御が可能となり、現在アナログマイクロ波で行われているのと同様の映像中継システムを構築することが可能となる。
【０１２０】
なお、各実施の形態においてラッパー信号に変換される入力データストリームは各実施の形態で説明したデータストリームに限定するものではなく、ＳＭＰＴＥ規格２５９Ｍで規定されている１フレーム当たりのライン数が５２５本または６２５本で２７０Ｍｂｐｓや３６０Ｍｂｐｓのデータ速度を含むＳＤＩストリーム、または、電波産業界規格ＡＲＩＢ−Ｂ１７で規定されている１フレーム当たりのライン数が５２５本または６２５本で１４３Ｍｂｐｓのデータ速度を含むＳＤＩストリーム、または、ＳＭＰＴＥ規格２９２Ｍで規定されている１フレーム当たりのライン数が１１２５本または７５０本で１．４８５Ｇｂｐｓや１．４８５／（１．００１）ＧＭｂｐｓのデータ速度を含むＨＤ−ＳＤＩストリームのいずれかであってもよい。
【０１２１】
また、本発明における入力データストリームをラッパー信号に変換して伝送網へ伝送する伝送網としてＡＴＭ網、ＩＰ網を説明したが、ＡＴＭ網、ＩＰ網におけるプロトコルのレイヤ構造は図２１のような構成が考えられる。
【０１２２】
【発明の効果】
以上のように、本発明の第１の発明によれば、入力ＳＤＩストリームの有効データをラッパー信号に変換して伝送できるため、様々な映像や音声フォーマットに対応できる。また、伝送帯域を被伝送信号の変更に伴い変化できるため、帯域を無駄使いせず、コスト的に有利となる。また、映像、音声、データ、メタデータなど信号が変化しても伝送フォーマットに柔軟性があり、ユーザ間で相互運用性が確保できるという顕著な効果が得られる。
【０１２３】
さらに、本発明の第２の発明によれば、新しい形式のデータを含んだＳＤＩストリームが入力された場合にも対応できる。また、広域網上の管理手段から、伝送系が管理している情報をダウンロードできるので、業務の効率化が図れるという顕著な効果が得られる。
【０１２４】
さらに、本発明の第３の発明によれば、ＳＤＩストリームに含まれる映像、音声、補助データ、放送局制御データなど全てを、一般に普及していてコスト的にも有利な１５５．５２Ｍｂｐｓ伝送網１本を用いて伝送できるという顕著な効果が得られる。
【０１２５】
さらに、本発明の第４の発明によれば、ＳＤＩストリームとは別の音声を更に追加し、遠隔地に伝送できるという顕著な効果が得られる。
【０１２６】
さらに、本発明の第５の発明によれば、ＳＤＩストリームとは別の制御信号を更に追加し、遠隔地に伝送できるという顕著な効果が得られる。
【０１２７】
さらに、本発明の第６の発明によれば、ＳＤＩストリームに含まれる映像の品質を落とすことなく、映像、音声、補助データ、放送局制御データなど全てを、１５５．５２Ｍｂｐｓ帯域の伝送網２本で遠隔地へ伝送することができるという顕著な効果が得られる。
【０１２８】
さらに、本発明の第７の発明によれば、１５５．５２Ｍｂｐｓ帯域の伝送網２本で伝送されてきたす信号からＳＤＩストリームを復元できるという顕著な効果が得られる。
【０１２９】
さらに、本発明の第８の発明によれば、新形式のデータを含んだＳＤＩストリームが入力された場合にも全てのデータを過不足なく抽出して、１５５Mｂｐｓネットワークを複数用いて、伝送することが可能となる。また、広域網上の管理手段から、現時点で伝送系が管理している管理上情報をダウンロードして確認できるので、管理者がいちいち遠隔地に設置された伝送装置までその動作パラメータを設定しに行く必要が無くなり業務の効率化が可能になるという顕著な効果が得られる。
【０１３０】
さらに、本発明の第９の発明によれば、ＳＤＩストリームに含まれる信号が、ＳＤＴＩストリームである場合にも自動で検知し、ＳＤＴＩペイロードを遠隔地へ伝送することが可能になるという顕著な効果が得られる。
【０１３１】
さらに、本発明の第１０の発明によれば、送信側スタジオから野球中継などの第１のＳＤＩストリームを遠隔地に伝送し、受信側スタジオでのＣＭ信号など、第２のＳＤＩストリームと遠隔制御で切り替える実現できるという顕著な効果が得られる。
【図面の簡単な説明】
【図１】本発明の実施の形態１における映像データ通信装置の構成を示すブロック図
【図２】ＳＤＩ信号の説明図
【図３】１４３ＭｂｐｓのＳＤＩ信号より垂直ブランキング部を除去する説明図
【図４】ＳＤＩデータに含まれる映像データと補助データをラッパー信号に変換する説明図
【図５】ＡＥＳ３音声フォーマットの説明図
【図６】補助データのパケットフォーマットの説明図
【図７】本発明の実施の形態２における映像データ通信方法の構成を示すブロック図
【図８】本発明の実施の形態３における映像データ通信装置の構成を示すブロック図
【図９】ＳＤＩデータに含まれる映像データ（１０ビット）、補助データとしてのＡＥＳ音声、汎用データとを合わせてラッパー信号に変換する説明図
【図１０】ＳＤＩデータに含まれる映像データを８ビットに変換し、補助データ（１０ビット）と合わせてラッパー信号に変換する説明図
【図１１】本発明の実施の形態４における映像データ通信装置の構成を示すブロック図
【図１２】ＳＤＩデータに含まれる映像データ、補助データとしての文字多重データ、汎用データ、および、別入力音声信号（ＡＥＳ音声）を合わせてラッパー信号に変換する説明図
【図１３】本発明の実施の形態５における映像データ通信装置の構成を示すブロック図
【図１４】本発明の実施の形態６における映像データ通信装置の構成を示すブロック図
【図１５】１つの入力データストリームを２分割し、補助データとしてのＡＥＳ音声と合わせてラッパー信号に変換する説明図
【図１６】本発明の実施の形態７における映像データ通信措置の構成を示すブロック図
【図１７】本発明の実施の形態８における通信方法の構成を示す図
【図１８】本発明の実施の形態９における映像データ通信装置の構成を示す図
【図１９】ＳＤＴＩストリームをラッパー信号に変換する説明図
【図２０】本発明の実施の形態１０における映像データ通信方法を説明するための図
【図２１】ＡＴＭ網、ＩＰ網におけるプロトコル構成を示す図
【符号の説明】
１０１  ＳＤＩ信号入力
１０２  動作モード外部切替え信号入力
１０３  データストリーム入力・動作モード切替え手段
１０４  バッファ手段
１０５  ヘッダー情報抽出手段
１０６  補助データ抽出手段
１０７  映像データ抽出手段
１０８  汎用データ抽出手段
１０９  ラッパー生成手段
１１０  ラッパー抽出生成手段
１１１  ラッパー信号変換手段
１１２  ネットワークインタフェース手段
【図１】
0003832263.tif 000002
【図２】
0003832263.tif 000003
【図３】
0003832263.tif 000004
【図４】
0003832263.tif 000005
【図５】
0003832263.tif 000006
【図６】
0003832263.tif 000007
【図７】
0003832263.tif 000008
【図８】
0003832263.tif 000009
【図９】
0003832263.tif 000010
【図１０】
0003832263.tif 000011
【図１１】
0003832263.tif 000012
【図１２】
0003832263.tif 000013
【図１３】
0003832263.tif 000014
【図１４】
0003832263.tif 000015
【図１５】
0003832263.tif 000016
【図１６】
0003832263.tif 000017
【図１７】
0003832263.tif 000018
【図１８】
0003832263.tif 000019
【図１９】
0003832263.tif 000020
【図２０】
0003832263.tif 000021
【図２１】
0003832263.tif 000022